(57)【要約】【課題】　　利便性の向上を図れるカードを提供する。【解決手段】カードは、振動体３および制御部本体とを備え、制御部本体が振動体３を振動させてカード内部の被駆動体を駆動する。ここで、被駆動体としては、残金表示カウンタ２を採用でき、制御部本体が振動体３を振動させることで残金表示カウンタ２の表示部２１，２２，２３，２４を回転させて残金に関する情報を表示する。したがって、利用者にカードの内部情報を可視情報として認識させることができ、利便性の向上を図れる。【選択図】　図２
2004139069.tif 000002
【特許請求の範囲】
【請求項１】
　所定の電圧を印加することにより振動する振動体と、
　この振動体を振動させる制御部と、
　前記振動体と当接し、前記振動体の振動により駆動する被駆動体と、
　前記振動体、前記制御部および前記被駆動体が内部に設置される筐体とを備えていることを特徴とするカード。
【請求項２】
　請求項１に記載のカードにおいて、
　前記被駆動体は、前記筐体に対して移動自在であり、複数の異なる符号を備えた符号表示板で構成され、
　前記筐体には、前記符号表示板の符号を露出する窓部が形成され、
　前記制御部は、前記振動体を振動させることにより前記筐体に対して前記符号表示板を移動させて前記窓部を介して所定の符号を表示させることを特徴とするカード。
【請求項３】
　請求項２に記載のカードにおいて、
　前記被駆動体は、複数の前記符号表示板を具備し、
　前記振動体は、前記複数の符号表示板に応じて複数配置され、
　前記制御部は、前記複数の振動体を振動させることにより前記筐体に対して前記複数の符号表示板を移動させて前記窓部を介して所定の符号を表示させることを特徴とするカード。
【請求項４】
　請求項１に記載のカードにおいて、
　外部のカード処理装置と情報の読み取りおよび書き込み可能に接続する情報通信部と、
　前記情報通信部との相互位置により前記カード処理装置および前記情報通信部の接続を規制する接続規制部とを具備し、
　前記被駆動体は、前記情報通信部および前記接続規制部のうちの少なくともいずれか一方から構成され、
　前記制御部は、前記振動体を振動させることにより前記情報通信部および前記接続規制部の相互位置を変更して前記接続規制部による規制状態を変更することを特徴とするカード。
【請求項５】
　請求項４に記載のカードにおいて、
　前記筐体には、外部のカード処理装置と前記情報通信部との接続を許可する接続許可部が形成され、
　前記情報通信部は、前記接続許可部に対応した位置に配置され、
　前記被駆動体は、前記情報通信部を覆う位置および前記接続許可部と離間した位置を移動自在に構成される前記接続規制部であり、
　前記制御部は、前記振動体を振動させることにより前記接続規制部を移動させて前記接続規制部による規制状態を変更することを特徴とするカード。
【請求項６】
　請求項５に記載のカードにおいて、
　前記接続許可部は、前記筐体内部を露出する窓部であり、
　前記情報通信部は、前記窓部を介して外部に露出するように配置され、
　前記制御部は、前記振動体を振動させることにより前記情報通信部を覆う位置および前記窓部を介して前記情報通信部を外部に露出する位置の間で前記接続規制部を移動させることを特徴とするカード。
【請求項７】
　請求項５に記載のカードにおいて、
　前記情報通信部は、前記カード処理装置と非接触による通信にて接続し、
　前記筐体は、前記接続許可部を除いて前記情報通信部および前記カード処理装置との非接触による通信を遮蔽する部材にて構成され、
　前記制御部は、前記振動体を振動させることにより前記接続規制部を移動させて前記接続規制部による規制状態を変更することを特徴とするカード。
【請求項８】
　請求項４に記載のカードにおいて、
　前記接続規制部は、前記筐体であり、
　前記筐体には、外部のカード処理装置と前記情報通信部との接続を許可する接続許可部が形成され、
　前記被駆動体は、前記接続許可部に対応する位置および前記接続許可部と離間した位置を移動自在に構成される前記情報通信部であり、
　前記制御部は、前記振動体を振動させることにより前記情報通信部を移動させて前記筐体による規制状態を変更することを特徴とするカード。
【請求項９】
　請求項８に記載のカードにおいて、
　前記接続許可部は、前記筐体内部を露出する窓部であり、
　前記制御部は、前記振動体を振動させることにより前記情報通信部を前記窓部を介して外部に露出する位置および前記窓部を介して外部に露出しない位置の間で移動させることを特徴とするカード。
【請求項１０】
　請求項８に記載のカードにおいて、
　前記情報通信部は、前記カード処理装置と非接触による通信にて接続し、
　前記筐体は、前記接続許可部を除いて前記情報通信部および前記カード処理装置との非接触による通信を遮蔽する部材にて構成され、
　前記制御部は、前記振動体を振動させることにより前記情報通信部を移動させて前記筐体による規制状態を変更することを特徴とするカード。
【請求項１１】
　請求項４に記載のカードにおいて、
　前記接続規制部は、前記筐体であり、
　前記被駆動体は、前記筐体の内外に突没移動自在に構成される前記情報通信部であり、
　前記制御部は、前記振動体を振動させることにより前記情報通信部を前記筐体の内外に突没移動させて前記筐体による規制状態を変更することを特徴とするカード。
【請求項１２】
　請求項４から請求項１１のいずれかに記載のカードにおいて、
　前記情報通信部または前記接続規制部は、回転自在に構成されていることを特徴とするカード。
【請求項１３】
　請求項４に記載のカードにおいて、
　前記接続規制部は、前記筐体であり、
　前記筐体は、固定筐体と、前記固定筐体に対して移動自在である移動筐体とを備え、
　前記被駆動体は、前記移動筐体であり、
　前記情報通信部は、前記移動筐体が前記固定筐体に対して離間すると外部に対して露出するように前記固定筐体および前記移動筐体のうちの少なくともいずれか一方に設置され、
　前記制御部は、前記振動体を振動させることにより前記固定筐体に対して前記移動筐体を近接隔離させて前記筐体による規制状態を変更することを特徴とするカード。
【請求項１４】
　請求項４から請求項１３のいずれかに記載のカードにおいて、
　前記情報通信部は、前記カード処理装置との間で情報の入出力を実施する入出力接続端子であることを特徴とするカード。
【請求項１５】
　請求項４から請求項１３のいずれかに記載のカードにおいて、
　前記情報通信部は、前記カード処理装置にて情報を読み取りおよび書き込み可能に前記情報を記憶するメモリであることを特徴とするカード。
【請求項１６】
　請求項１に記載のカードにおいて、
　前記被駆動体は、当該カードの厚み方向に移動自在である移動部材で構成され、
　前記制御部は、前記振動体を振動させることにより前記移動部材を移動させて当該カードの寸法を厚み方向に変更することを特徴とするカード。
【請求項１７】
　請求項１６に記載のカードにおいて、
　前記移動部材は、可撓性部材から構成され、外部の部材と接触することにより該外部の部材を清掃する清掃部材であり、
　前記制御部は、前記振動体を振動させることにより前記清掃部材を撓ませて当該カードの寸法を厚み方向に変更することを特徴とするカード。
【請求項１８】
　請求項１から請求項１７のいずれかに記載のカードにおいて、
　前記振動体は、略矩形板状の圧電素子と、
　前記圧電素子に接合される略矩形板状の補強板とを備え、
　前記補強板には、前記被駆動体に当接される当接部が一体的に形成されていることを特徴とするカード。
【請求項１９】
　請求項１８に記載のカードにおいて、
　前記圧電素子の長辺を１とすると、短辺は０．２７４以上に形成され、前記当接部は前記圧電素子の短辺に長手方向に沿って突出して設けられ、前記圧電素子の長手方向に伸縮する縦振動と、前記圧電素子の平面中央に対して点対称に、前記縦振動に直交する方向に屈曲する屈曲振動との振動比は、縦振動の共振周波数に対する屈曲振動の共振周波数の比が、１．００より大きく、１．０３以下となるように設定されていることを特徴とするカード。
【発明の詳細な説明】
【技術分野】
【０００１】
　本発明は、カード処理装置の内部に搬送されて所定の処理がなされるカードに関する。例えば、ＩＣカード、クレジットカード、キャッシュカード、プリペイドカード、および、カード処理装置の所定の部材を清掃するクリーニング用カード等に採用できる。
【背景技術】
【０００２】
　近年、メモリを有する種々のカードが普及している。例えば、電話等の通信、各種交通機関の分野において、料金の支払いの際に利用する磁気カードが知られている。この磁気カードでは、予め代金を先払いしておき、利用毎に残金に関する情報をメモリに記憶する。また、より高度の情報として、例えば、個人を認証する認証情報等をメモリに記憶させ、高度のシステムを構築するＩＣカードが知られている。
【０００３】
　また、上記カードにおいて、メモリに記憶された情報を可視情報としてカード上に表示する方法が種々考案されている。例えば、ＬＣＤ（Liquid Crystal Display）を備えたＩＣカードが知られている（例えば、特許文献１参照）。
　このＩＣカードでは、例えば、クレジットカードとして利用した場合に、預金残高や履歴等の情報をＬＣＤに表示させる。また、例えば、キャッシュカードとして利用した場合に、利用金額、限度額および返済期日等をＬＣＤに表示させる。
　また、このようなＩＣカードは、外部のカード処理装置と接続する接続部を備え、この接続部により外部のカード処理装置のリーダライタと電気的または磁気的に接続され、メモリの読み取りおよび書き込みが実施される。
【０００４】
　さらに、上記のようなカードの普及に伴い、例えば、カード処理装置の所定の部材を清掃するためのクリーニング用カードもまた利用されている（例えば、特許文献２）。
　このクリーニング用カードは、利用する磁気カード等と略同寸法で形成され、その表面には、接触することで被接触部材の汚れを清掃する不織布が貼着されている。ここで、カード処理装置は、クリーニング用カードが挿入されると、所定の位置に該クリーニング用カードを搬送する。そして、クリーニング用カードは、この搬送過程において、カード処理装置の搬送ローラまたは読み取りおよび書き込み用の磁気ヘッド等と接触して、これら部材を清掃する。
【０００５】
【特許文献１】特開平５−１７４２０５号公報
【特許文献２】特開２０００−１４８９４０号公報
【発明の開示】
【発明が解決しようとする課題】
【０００６】
　しかしながら、上記のような内部情報の表示形態では、カード内部にＬＣＤ駆動用の電源が必要となる。一般的に、ＩＣカードは、内部に電源を不要とする構成であり、電源を内部に配置するような構成では、カードの設計を困難なものにするとともにカードの小型化を阻害する。また、例えば、携帯時に電源が消耗されると、電圧低下により内部情報を表示できなくなってしまう。
　さらに、上記のように、カード処理装置のリーダライタと接続する接続部が外部に対して剥き出しになっている場合には、外部磁気や静電気、あるいは、機械的ダメージ等によって内部情報が破壊する可能性がある。また、カードを拾得した他人により内部情報を故意に読み取られたり、書き換えらたりするおそれもある。
　また、上記のようなクリーニング用カードでは、カード表面に不織布が貼着されるためにカード自体の厚み方向の寸法が大きくなり、カード処理装置内部での搬送時に大きな負荷となる場合がある。このため、カード処理装置は、搬送ローラを駆動するモータの能力に余裕を持たせる必要がある。
【０００７】
　本発明の目的は、このような問題点に鑑みて、利便性の向上を図れるカードを提供することにある。
【課題を解決するための手段】
【０００８】
　本発明のカードは、所定の電圧を印加することにより振動する振動体と、この振動体を振動させる制御部と、前記振動体と当接し、前記振動体の振動により振動する被駆動体と、前記振動体、前記制御部および前記被駆動体が内部に設置される筐体とを備えていることを特徴とする。
　本発明では、カードは、振動体、制御部、被駆動体、および、筐体を具備し、制御部は振動体を振動させて筐体内部の被駆動体を駆動する。このことにより、カードの多種多様な設計を可能にし、利便性の向上を図れる。
【０００９】
　本発明のカードでは、前記被駆動体は、前記筐体に対して移動自在であり、複数の異なる符号を備えた符号表示板で構成され、前記筐体には、前記符号表示板の符号を露出する窓部が形成され、前記制御部は、前記振動体を振動させることにより前記筐体に対して前記符号表示板を移動させて前記窓部を介して所定の符号を表示させることが好ましい。
　本発明では、制御部が振動体を振動させることにより筐体に対して符号表示板を移動させて筐体の窓部を介して所定の符号を表示させる。このことにより、利用者にカード上で情報を認識させることができる。例えば、カード処理装置から制御部に電力を供給するように構成し、制御部がこの電力の供給に応じて制御を実施するように構成すれば、ＬＣＤを具備したカードのように、カード内部に電源を具備する必要がない。このような構成にすれば、電源を不要とすることから、カードの設計を容易とするとともにカードの小型化を図れる。また、電源の消耗を気にせずとも、利用者にカード上から所定の情報を認識させることができる。
【００１０】
　本発明のカードでは、前記被駆動体は、複数の前記符号表示板を具備し、前記振動体は、前記複数の符号表示板に応じて複数配置され、前記制御部は、前記複数の振動体を振動させることにより前記筐体に対して前記複数の符号表示板を移動させて前記窓部を介して所定の符号を表示させることが好ましい。
　例えば、カード内部に複数の符号表示板を具備した場合、単一の振動体によりこれら複数の符号表示板を相互に連動させてこれら複数の符号表示板を駆動するような構成が考えられる。
　本発明では、振動体は、複数の符号表示板に応じて複数配置され、制御部が複数の振動体を振動させることにより窓部に対して複数の符号表示板を移動させて窓部を介して所定の情報を表示させる。このことにより、単一の振動体により複数の符号表示板を駆動する場合に比して、複数の符号表示板を独立して駆動させることができるので、複数の符号表示板の駆動速度が向上し、情報の表示速度を向上できる。また、複数の符号表示板を独立して駆動させるので、符号表示板同士を連動させる歯車等の部材を省略でき、カードの薄型化を図れる。なお、振動体は、符号表示板の数に対して１：１の割合で配置される場合の他、この割合以外で配置される場合も含む。
【００１１】
　本発明のカードでは、外部のカード処理装置と情報の読み取りおよび書き込み可能に接続する情報通信部と、前記情報通信部との相互位置により前記カード処理装置および前記情報通信部の接続を規制する接続規制部とを具備し、前記被駆動体は、前記情報通信部および前記接続規制部のうちの少なくともいずれか一方から構成され、前記制御部は、前記振動体を振動させることにより前記情報通信部および前記接続規制部の相互位置を変更して前記接続規制部による規制状態を変更することが好ましい。
　ここで、本発明における接続は、情報通信部およびカード処理装置との間で電気的に接触する接続、および、電磁結合等の非接触による接続等を含むものとする。
　本発明では、カードは、情報通信部と接続規制部とを具備し、制御部が振動体を振動させることにより情報通信部および接続規制部の相互位置を変更して接続規制部による規制状態を変更する。このことにより、カードのセキュリティを強化できる。例えば、情報通信部および接続規制部のうちの少なくともいずれか一方を移動させて相互位置を変更することで情報通信部およびカード処理装置との接続を実施するように構成する。このような構成では、カードを拾得した他人がカード内部に記憶された情報を容易に読み取りまたは書き込みを実施することを防止できる。また、接続規制部および情報通信部の相互位置を変更して、情報通信部を外部に対して露出しないようにそれぞれを配置すれば、例えば、外部の磁気、静電気、または、機械的ダメージによりカードの内部情報が破壊されることを回避できる。
【００１２】
　本発明のカードでは、前記筐体には、外部のカード処理装置と前記情報通信部との接続を許可する接続許可部が形成され、前記情報通信部は、前記接続許可部に対応した位置に配置され、前記被駆動体は、前記情報通信部を覆う位置および前記接続許可部と離間した位置を移動自在に構成される前記接続規制部であり、前記制御部は、前記振動体を振動させることにより前記接続規制部を移動させて前記接続規制部による規制状態を変更することが好ましい。
　本発明では、情報通信部は、筐体の接続許可部に対応した位置に配置され、制御部は、振動体を振動させることにより情報通信部を覆う位置および接続許可部と離間した位置に接続規制部を移動させて該接続規制部による規制状態を変更する。このことにより、例えば、シャッタ等の接続規制部を移動させることで情報通信部およびカード処理装置の間での接続を規制できるので、簡単な構成でカードのセキュリティ強化を実現できる。
【００１３】
　本発明のカードでは、前記接続許可部は、前記筐体内部を露出する窓部であり、前記情報通信部は、前記窓部を介して外部に露出するように配置され、前記制御部は、前記振動体を振動させることにより前記情報通信部を覆う位置および前記窓部を介して前記情報通信部を外部に露出する位置の間で前記接続規制部を移動させることが好ましい。
　本発明では、制御部は、振動体を振動させることにより接続規制部を移動させ、該接続規制部の位置を情報通信部を覆う位置および窓部を介して情報通信部が外部に露出する位置に変更する。このことにより、例えば、シャッタ等の接続規制部の位置を情報通信部を覆う位置に変更させることで、情報通信部とカード処理装置との接続を規制できる。また、シャッタ等の接続規制部は、情報通信部を覆う位置に移動され、情報通信部が窓部を介して外部に露出することを回避することにより、例えば、外部の磁気、静電気、または、機械的ダメージによりカードの内部情報が破壊されることを回避できる。さらに、シャッタ等の接続規制部の位置を情報通信部が窓部を介して外部に露出する位置に変更することで、情報通信部とカード処理装置とを接続可能にできる。ここで、例えば、情報通信部とカード処理装置の接続端子とを接触させて電気的に接続すれば、カード処理装置とカードとの間での情報の入出力を確実に実施できる。
【００１４】
　本発明のカードでは、前記情報通信部は、前記カード処理装置と非接触による通信にて接続し、前記筐体は、前記接続許可部を除いて前記情報通信部および前記カード処理装置との非接触による通信を遮蔽する部材にて構成され、前記制御部は、前記振動体を振動させることにより前記接続規制部を移動させて前記接続規制部による規制状態を変更することが好ましい。
　本発明では、制御部は、振動体を振動させることにより接続規制部の位置を情報通信部を覆う位置および接続許可部を介して情報通信部およびカード処理装置が非接触にて接続可能な位置に変更する。このことにより、情報通信部およびカード処理装置とが非接触にて接続可能であるので、カード処理装置とカードとの間での情報通信を迅速に実施でき、カードの利便性を向上できる。また、例えば、接続許可部を情報通信部およびカード処理装置との非接触による通信を遮蔽しない部材にて構成すれば、筐体に該筐体内部を露出する窓部を不要とし、筐体の強度を維持し、カードの機械的強度を保持できる。
【００１５】
　本発明のカードでは、前記接続規制部は、前記筐体であり、前記筐体には、外部のカード処理装置と前記情報通信部との接続を許可する接続許可部が形成され、前記被駆動体は、前記接続許可部に対応する位置および前記接続許可部と離間した位置を移動自在に構成される前記情報通信部であり、前記制御部は、前記振動体を振動させることにより前記情報通信部を移動させて前記筐体による規制状態を変更することが好ましい。
　本発明では、筐体は、接続規制部として機能し、制御部は、振動体を振動させることにより接続許可部に対応する位置および接続許可部と離間した位置に情報通信部を移動させて筐体による規制状態を変更する。このことにより、情報通信部を移動させることで情報通信部およびカード処理装置の間での接続を規制できるので、簡単な構成でカードのセキュリティ強化を実現できる。また、筐体が接続規制部として機能するので、別途、シャッタ等の接続規制部を設ける必要がなく、部材の省略からカードの薄型化を図れる。
【００１６】
　本発明のカードでは、前記接続許可部は、前記筐体内部を露出する窓部であり、前記制御部は、前記振動体を振動させることにより前記情報通信部を前記窓部を介して外部に露出する位置および前記窓部を介して外部に露出しない位置の間で移動させることが好ましい。
　本発明では、制御部は、振動体を振動させることにより情報通信部を移動させ、該情報通信部の位置を窓部を介して外部に露出する位置および窓部を介して外部に露出しない位置に変更する。このことにより、情報通信部の位置を窓部を介して外部に露出する位置に移動させることで、情報通信部とカード処理装置とを接続可能にできる。ここで、例えば、情報通信部とカード処理装置の接続端子とを接触させて電気的に接続すれば、カード処理装置とカードとの間での情報の入出力を確実に実施できる。また、情報通信部の位置を窓部を介して外部に露出しない位置に変更することで、情報通信部とカード処理装置との接続を規制できる。また、筐体により、内部情報が破壊されることを回避できる。
【００１７】
　本発明のカードでは、前記情報通信部は、前記カード処理装置と非接触による通信にて接続し、前記筐体は、前記接続許可部を除いて前記情報通信部および前記カード処理装置との非接触による通信を遮蔽する部材にて構成され、前記制御部は、前記振動体を振動させることにより前記情報通信部を移動させて前記筐体による規制状態を変更することが好ましい。
　本発明では、制御部は、振動体を振動させることにより情報通信部の位置を接続許可部を介してカード処理装置と接続可能な位置および接続許可部と離間してカード処理装置と接続許可部とが接続不可能な位置に変更する。このことにより、情報通信部およびカード処理装置とが非接触にて接続可能であるので、カード処理装置とカードとの間での情報通信を迅速に実施でき、カードの利便性を向上できる。また、例えば、接続許可部を耐磁性を有さない部材にて構成すれば、筐体に該筐体内部を露出するための窓部を形成する必要がないので、筐体の強度を維持し、カードの機械的強度を保持できる。
【００１８】
　本発明のカードでは、前記接続規制部は、前記筐体であり、前記被駆動体は、前記筐体の内外に突没移動自在に構成される前記情報通信部であり、前記制御部は、前記振動体を振動させることにより前記情報通信部を前記筐体の内外に突没移動させて前記筐体による規制状態を変更することが好ましい。
　本発明では、筐体は、接続規制部として機能し、制御部は、振動体を振動させることにより情報通信部を筐体の内外に突没移動させて筐体による規制状態を変更する。このことにより、情報通信部を筐体の内外に突没移動させることで情報通信部およびカード処理装置の間での接続を規制できるので、構成を簡素化して部材を省略できるのでカードの小型化を図れる。また、筐体が接続規制部として機能するので、別途、シャッタ等の接続規制部を設ける必要がなく、部材の省略からカードの薄型化を図れる。さらに、筐体に該筐体内部を露出するための窓部を形成する必要がないので、筐体の強度を維持し、カードの機械的強度を保持できる。
【００１９】
　本発明のカードでは、情報通信部または接続規制部は、回転自在に構成されていることが好ましい。
　本発明によれば、情報通信部または接続規制部は、回転自在に構成されているので、回転中心と外周縁との距離を長くすれば、振動体が振動することによる情報通信部または接続規制部の移動速度を向上できる。したがって、外部のカード処理装置とカードとの接続を迅速に実施でき、カードの処理の迅速化を図れる。
【００２０】
　本発明のカードでは、前記接続規制部は、前記筐体であり、前記筐体は、固定筐体と、前記固定筐体に対して移動自在である移動筐体とを備え、前記被駆動体は、前記移動筐体であり、前記情報通信部は、前記移動筐体が前記固定筐体に対して離間すると外部に対して露出するように前記固定筐体および前記移動筐体のうちの少なくともいずれか一方に設置され、前記制御部は、前記振動体を振動させることにより前記固定筐体に対して前記移動筐体を近接隔離させて前記筐体による規制状態を変更することが好ましい。
　本発明では、筐体は、接続規制部として機能し、固定筐体と該固定筐体に対して移動自在である移動筐体を備えている。そして、制御部は、振動体を振動させることにより固定筐体に対して移動筐体を近接隔離して筐体による規制状態を変更する。このことにより、別途、シャッタ等の接続規制部を設ける必要がなく、部材の省略からカードの薄型化を図れる。また、シャッタ等の接続規制部の移動に応じて筐体を設計する必要がない。したがって、通常の携帯時において、カードを小型化することができる。
【００２１】
　本発明のカードでは、前記情報通信部は、前記カード処理装置との間で情報の入出力を実施する入出力接続端子であることが好ましい。
　本発明によれば、情報通信部である入出力接続端子が接続規制部の規制状態によりカードから外部に対して剥き出しの状態を回避するように構成すれば、カードのセキュリティ強化とともに、入出力接続端子の機械的ダメージ、および、汚れや腐食等による接触不良、または、リーク電流による誤動作等を防止できる。
【００２２】
　本発明のカードでは、前記情報通信部は、前記カード処理装置にて情報を読み取りおよび書き込み可能に前記情報を記憶するメモリであることが好ましい。
　本発明によれば、カード内部情報を入出力する入出力接続端子を設ける必要がなく、カードの構成を簡素化できる。また、メモリが接続規制部の規制状態によりカードから外部に対して剥き出しの状態を回避するように構成すれば、カードのセキュリティの強化とともに、メモリの機械的ダメージ、および、汚れや腐食等による内部情報の破壊を回避できる。
【００２３】
　本発明のカードでは、前記被駆動体は、当該カードの厚み方向に移動自在である移動部材で構成され、前記制御部は、前記振動体を振動させることにより前記移動部材を移動させて当該カードの寸法を厚み方向に変更することが好ましい。
　本発明によれば、制御部が振動体を振動させることにより移動部材を移動させてカードの寸法を厚み方向に変更するので、適宜、カードの寸法を厚み方向に変更すれば、異なる機種のカード処理装置に利用できる。例えば、クリーニング用カードとして利用すれば、適宜、カードの寸法を厚み方向に変更することで、異なる機種のカード処理装置に利用できるとともに、カード処理装置におけるカード搬送時の負荷を軽減できる。
【００２４】
　本発明のカードでは、前記移動部材は、可撓性部材から構成され、外部の部材と接触することにより該外部の部材を清掃する清掃部材であり、前記制御部は、前記振動体を振動させることにより前記清掃部材を撓ませて当該カードの寸法を厚み方向に変更することが好ましい。
　本発明では、制御部が振動体を振動させることにより清掃部材を撓ませてカードの寸法を厚み方向に変更する。このことにより、例えば、カード処理装置内の所定位置で清掃部材を撓ませ、清掃部材とカード処理装置内の所定の部材とを接触させることで、該部材を清掃できる。また、例えば、カード処理装置内を搬送されている際に、清掃を必要とする部材に近接した場合に清掃部材を撓ませるように構成すれば、カード処理装置の搬送時の負荷を軽減できる。
【００２５】
　本発明のカードでは、前記振動体の当接部は、振動することにより略楕円軌道を描くことが好ましい。
　本発明によれば、振動体の当接部は、振動することにより略楕円軌道を描くので、カード内部の被駆動体に対して駆動方向に対しては摩擦力が大きく、駆動方向と逆方向には摩擦力を小さくでき、高効率に被駆動体を駆動できる。また、振動体の当接部の磨耗を低減し、振動体の長寿命化を図れる。
【００２６】
　本発明のカードでは、前記制御部は、前記振動体の振動を制御して前記当接部を正逆回転させることが好ましい。
　本発明によれば、制御部が振動体の振動を制御して当接部を正逆回転させるので、カード内部の被駆動体の駆動方向を正逆方向と切り替えることができ、被駆動体に対して一つの振動体で幅広い駆動方法を実現できる。
【００２７】
　本発明のカードでは、前記振動体は、略矩形板状の圧電素子と、前記圧電素子に接合される略矩形板状の補強板とを備え、前記補強板には、前記被駆動体に当接される当接部が一体的に形成されていることが好ましい。
　本発明によれば、圧電素子に電圧を繰り返し印加すると圧電素子が伸縮する。このとき、圧電素子は、板状に形成されているので、厚み方向に比べて平面方向の変位が大きくなり、当該方向に沿って伸縮して振動する。この振動により当接部が被駆動体を押圧し、被駆動体を駆動する。
　圧電素子および補強板が板状に形成されているので、振動体を薄く構成することができ、カード全体の薄型化を促進できる。また、補強板が圧電素子に接合されているので、補強板が圧電素子の脆性を補い、振動体の耐衝撃性が向上する。さらに、補強板に当接部が形成されているので、圧電素子が被駆動体と直接接触することがなく、圧電素子の摩耗が防止され、これによっても振動体の耐久性が向上する。
【００２８】
　本発明のカードでは、前記圧電素子の長辺を１とすると、短辺は０．２７４以上に形成され、前記当接部は前記圧電素子の短辺に長手方向に沿って突出して設けられ、前記圧電素子の長手方向に伸縮する縦振動と、前記圧電素子の平面中央に対して点対称に、前記縦振動に直交する方向に屈曲する屈曲振動との振動比は、縦振動の共振周波数に対する屈曲振動の共振周波数の比が、１．００より大きく、１．０３以下となるように設定されていることが好ましい。
【００２９】
　この発明によれば、縦振動および屈曲振動の共振周波数が互いに近接しているので、これらの共振周波数近傍で圧電素子を振動させると、縦振動および屈曲振動が同時に現れ、振動体の当接部は略楕円軌道を描いて振動する。この略楕円軌道によって当接部は被駆動体を押圧して駆動することが可能となる。この時、圧電素子は、縦振動および屈曲振動のそれぞれの共振点付近で励振されるので、それぞれの振動振幅が大きくなる。従って、当接部の略楕円軌道の振幅も大きくなり、被駆動体を高効率で駆動することが可能となる。
【００３０】
　ここで、当接部が設けられた振動体の圧電素子の短辺が０．２７４よりも小さい場合には、縦振動の共振周波数が屈曲振動の共振周波数よりも大きくなり、良好な略楕円軌道を描くことができない場合がある。この時、縦振動の共振周波数に対する屈曲振動の共振周波数の比は１．００以下である。また、縦振動の共振周波数に対する屈曲振動の共振周波数の比が１．０３より大きい場合には、縦振動の共振点と屈曲振動の共振点が離れてしまい、両振動の振幅を同時に良好にすることができない。
【発明の効果】
【００３１】
　以上に述べたように、本発明のカードによれば、カードの多種多様な設計を可能にし、利便性の向上を図れる。
【発明を実施するための最良の形態】
【００３２】
　[第１実施形態]
　以下、本発明の一実施形態を図面に基づいて説明する。
　図１は、第１実施形態におけるカード１の概略構成の一例を示す図である。カード１は、決済機能を有する非接触型ＩＣカードである。例えば、このカード１は、クレジットカード、キャッシュカード、および、料金の支払いの際に利用する磁気カード等として利用できる。
【００３３】
　このカード１は、略箱状の筐体１１にて外郭が形成され、この筐体１１の上面略中央部には、該カード１の長手方向に沿って、内部の後述する残金表示カウンタ２を露出する窓部１１Ａが形成されている。このため、この窓部１１Ａが情報表示領域となり、この窓部１１Ａから後述する残金表示カウンタ２による所定の情報を観察できる。また、この筐体１１の上面には、窓部１１Ａの長手方向に沿って、後述する残金表示カウンタ２による表示を補う付帯情報が記載されている。
【００３４】
　図２は、カード１の内部構成の一例を示す図である。
　カード１は、図２に示すように、符号表示板としての残金表示カウンタ２と、振動体３と、ここでは図示しない制御部本体４およびアンテナ５とを備えている。そして、これら残金表示カウンタ２および振動体３は、制御部本体４により駆動制御される。なお、カード１における制御構造については、後述する。
　残金表示カウンタ２は、例えば、決済終了後の残金に関する情報を表示する。この残金表示カウンタ２は、決済終了後の残金のうち、上位４桁を表示し、カード１の筐体１１に記載された付帯情報とともに決済終了後の残金を表示する。この残金表示カウンタ２は、第１桁表示部２１と、第２桁表示部２２と、第３桁表示部２３と、第４桁表示部２４とを備えている。
【００３５】
　図３は、カード１の断面を示す図である。具体的には、図２のIII−III線における断面図である。
　第１桁表示部２１は、図２または図３に示すように、略円盤状に形成され、略中心位置に回転軸２１Ａを有している。そして、この回転軸２１Ａが筐体１１の下面と固定され、第１桁表示部２１は回転自在に設置されている。この第１桁表示部２１の上面外周側には、時計回りに０〜９の数字が略等間隔で記載され、上位４桁中の最小桁を表示する。すなわち、第１桁表示部２１は、回転することで、上面外周側に記載された０〜９の数字が切り替わり、所定の数字が窓部１１Ａから露出する。
【００３６】
　第２桁表示部２２は、図２または図３に示すように、略リング状に形成され、該第２桁表示部２２の下面に凹部２２Ａが形成されている。筐体１１の下面には、略リング状のレール１１Ｂが形成され、第２桁表示部２２の凹部２２Ａと係合する。このため、第２表示部２２は、筐体１１のレール１１Ｂに沿って、回転可能となっている。また、この第２桁表示部２２の上面には、時計回りに０〜９の数字が略等間隔で記載され、上位４桁中の第２桁を表示する。すなわち、第２桁表示部２２は、回転することで、上面に記載された０〜９の数字が切り替わり、所定の数字が窓部１１Ａから露出する。
　第３桁表示部２３は、上位４桁中の第３桁を表示する。この第３桁表示部２３の構造は、第１桁表示部２１の構造と略同様であり、説明を省略する。
　第４桁表示部２４は、上位４桁中の最大桁を表示する。この第４桁表示部２４の構造は、第２桁表示部２２の構造と略同様であり、説明を省略する。
【００３７】
　図４は、振動体３の概略構成を示す図である。
　振動体３は、所定の電圧が印加されることにより振動する、いわゆる圧電アクチュエータとして構成される。そして、この振動体３は、残金表示カウンタ２の表示部２１，２２，２３，２４に応じてそれぞれ４つの振動体３Ａ，３Ｂ，３Ｃ，３Ｄが設置される。これら振動体３Ａ，３Ｂ，３Ｃ，３Ｄは、図２に示すように、表示部２１，２２，２３，２４の外周部分と当接し、表示部２１，２２，２３，２４に振動を伝達することで表示部２１，２２，２３，２４を回転させる。この振動体３は、図４に示すように、補強板３１と、圧電素子３２とを備えている。
【００３８】
　補強板３１は、例えば、ステンレス鋼等により略矩形平板状に形成され、振動体３全体を補強する。このため、振動体３の過振幅や落下等による外部からの衝撃力に起因する振動体３の損傷を低減し、耐久性を向上させている。
　また、この補強板３１は、２つの圧電素子３２の間に配置される。そして、補強板３１として、これら圧電素子３２よりも肉厚の薄いものを用いることにより、圧電素子３２の振動を極力妨げないようにしている。
【００３９】
　さらに、補強板３１は、長手方向の一端の幅方向略中央部分に当接部３１Ａが一体的に形成されている。そして、この当接部３１Ａと残金表示カウンタ２の表示部２１，２２，２３，２４とが当接し、振動の伝達が実施される。
　さらにまた、補強板３１は、長手方向の略中央部分から幅方向に延出する支持部３１Ｂが形成されている。そして、この支持部３１Ｂに形成された孔３１Ｂ１と筐体１１の下面に形成された図示しない孔とをねじ等により螺合することで、振動体３が筐体１１に固定される。
【００４０】
　圧電素子３２は、所定の電圧が印加されることで圧電効果により、印加される電界の方向と一致する方向または直行する方向に変位する。この圧電素子３２は、補強板３１と略同一形状で形成され、補強板３１の上下面にそれぞれ接着されている。
　また、これら圧電素子３２の表面は、例えば、めっき、蒸着、スパッタなどの方法によってニッケルおよび金などの層が形成され、電圧を印加するための電極３２Ａが設けられている。そして、これら圧電素子３２の表面は、該圧電素子３２を幅方向に略三等分するように二本の溝３２１が形成されている。さらに、これらの溝３２１で分割された三つの領域のうち、両側の領域では長手方向を略二等分するように溝３２２が形成されている。このため、電極３２Ａは、互いに電気的に絶縁された五つの電極３２Ａ１，３２Ａ２，３２Ａ３，３２Ａ４，３２Ａ５で構成される。なお、これらの電極は、補強板３１を挟んで設けられた表裏両方の圧電素子３２に同様に設けられており、例えば、電極３２Ａ１の裏面側には電極３２Ａ１が形成されている。
【００４１】
　そして、圧電素子３２の対角線上に配置される電極３２Ａ１および電極３２Ａ５とが図示しないリード線により接続される。また、圧電素子３２の対角線上に配置される電極３２Ａ２および３２Ａ４とが図示しないリード線により接続される。そして、これらリード線および電極３２Ａ３に接続された図示しないリード線は、制御部本体４に接続される。
　なお、圧電素子３２は、特に限定されず、チタン酸ジルコン酸鉛（ＰＺＴ（登録商標））、水晶、ニオブ酸リチウム、チタン酸バリウム、チタン酸鉛、メタニオブ酸鉛、ポリフッ化ビニリデン、亜鉛ニオブ酸鉛、スカンジウムニオブ酸鉛等の各種のものを採用できる。
【００４２】
　また、圧電素子３２の寸法や、厚さ、電極の分割形態などは、圧電素子３２に繰り返し電圧が印加された時に、圧電素子３２が長手方向に伸縮する、いわゆる縦振動と、縦振動に直交する方向に屈曲する、いわゆる屈曲振動とが同時に現れるように適宜設定される。この時、縦振動の共振周波数と、屈曲振動の共振周波数は互いに近接するように設定されていることが望ましく、縦振動の共振周波数に対する屈曲振動の共振周波数の比は、０．９７以上１．０３以下であることが望ましく、さらには１より大きく、１．０３以下であることがより望ましい。また、圧電素子３２の長辺と短辺との長さ比は、長辺を１とすると短辺が０．２７４以上であることが望ましい。
　また、圧電素子３２に印加される電圧の周波数は、縦振動の共振周波数と屈曲振動の共振周波数との間、より好ましくは反共振周波数と屈曲振動の共振周波数との間で両方の振動が良好に現れる周波数を適宜選択する。なお、振動体３に印加される電圧の波形は特に限定されず、例えばサイン波、矩形波、台形波などが採用できる。
【００４３】
　図５は、カード１における制御構造を模式的に示すブロック図である。
　アンテナ５は、制御部本体４と電気的に接続され、外部のカード処理装置から送信される電波を受信して、制御部本体４に受信した電波に基づく信号を出力する。また、このアンテナ５は、制御部本体４から出力される信号を外部のカード処理装置に送信する。例えば、この送受信は、アンテナ５をコイル等にて形成し、該コイルに誘導起電力を発生させ、電磁結合を利用して電波を送受信する構成を採用できる。また、アンテナ５をループアンテナ等により形成してもよい。
　制御部本体４は、振動体３と電気的に接続し、アンテナ５を介して取得した信号に基づいて振動体３に所定の交流電圧を印加して振動させるとともに、この振動により残金表示カウンタ２の表示部２１，２２，２３，２４を回転させる制御を実施する。この制御部本体４は、インターフェース部４１と、メモリ４２と、制御部４３と、駆動回路４４と、電源供給部４５とを備えている。
【００４４】
　インターフェース部４１は、アンテナ５を介して取得した信号を所定の情報に変換して制御部４３に出力するとともに、制御部４３の制御の下、メモリ４２に記憶されたデータを所定の信号に変換してアンテナ５に出力する。このインターフェース部４１は、例えば、入力する信号を復調し、または、出力する信号を変調する変復調部として構成できる。
【００４５】
　ここで、カード処理装置は、利用者にカード１を利用して決済処理を実施させる装置であり、例えば、各種交通機関の運賃の支払いに関する決済処理を実施させる自動改札機または自動券売機等とすることができる。また、カード処理装置は、例えば、カード１をクレジットカードまたはキャッシュカードとして利用した場合には、キャッシュディスペンサ等とすることができる。
　メモリ４２は、例えば、ＥＥＰＲＯＭ等の不揮発性メモリで構成される。このメモリ４２は、制御部４３による制御プログラムを記憶するとともに、制御部４３の制御の下、入力された信号に基づいてデータを記憶する。ここで、記憶するデータは、決済終了後の残金である。
【００４６】
　制御部４３は、入力した信号に基づいてメモリ４２にデータを書き込む。また、制御部４３は、外部のカード処理装置から出力されるコマンドに従ってメモリ４２に記憶されるデータを読み出し、読み出したデータをインターフェース部４１に出力し、アンテナ５を介して外部のカード処理装置に送信させる。
　また、メモリ４２に記憶されたデータ（決済終了後の残金）に基づいて、残金表示カウンタ２の表示を変更するために駆動回路４４に所定の制御信号を出力する。
　ここで、残金表示カウンタ２には、窓部１１Ａから表示される数字の位置を検出する図示しない位置検出部を備え、制御部４３は、この位置検出部から信号を入力することで、現在の表示状態を認識する。また、認識した現在の表示状態とメモリ４２に記憶されたデータ（決済終了後の残金）とを比較し、駆動回路４４に所定の制御信号を出力する。
　この制御部４３による各構成部材の制御は、メモリ４２に記憶された制御プログラムに基づいて実施される。
【００４７】
　駆動回路４４は、制御部４３からの制御信号に基づいて、振動体３に所定の周波数で交流電圧を印加する。ここで、振動体３に印加される交流電圧の周波数は、補強板３１の振動時に縦振動共振点の近くに屈曲共振点が現れて当接部３１Ａが良好な楕円軌道を描くように設定される。
　電源供給部４５は、アンテナ５を介して外部のカード処理装置から供給される電力を取得し、この取得した電力を制御部本体４の各部へ送る。
【００４８】
　次に、この制御部本体４による振動体３の振動および残金表示カウンタ２の動作を説明する。
　図６は、振動体３の動作を説明する図であり、図７は、制御部本体４の制御による振動体３および残金表示カウンタ２の動作を説明する図である。
　先ず、制御部４３は、図示しない位置検出部から信号を入力し、現在の表示状態を認識する。そして、この認識した現在の表示状態とメモリ４２に記憶されたデータとを比較し、駆動回路４４に制御信号を出力する。
　具体的に、制御部４３は、位置検出部から信号を入力し、残金表示カウンタ２（表示部２１，２２，２３，２４）の現在表示されている数字が「０」であると認識する。そして、制御部４３は、メモリ４２に記憶されたデータである残金表示カウンタ２（表示部２１，２２，２３，２４）に表示させる数字が「１」であると認識すると、これら数字「０」および「１」を比較し、駆動回路４４に振動体３を正回転させる旨の制御信号を出力する。
　駆動回路４４は、この制御信号を入力すると、振動体３の電極３２Ａ２，３２Ａ４および電極３２Ａ３のみに所定の周波数の交流電圧を印加する。
【００４９】
　振動体３は、図６(Ａ)に示されるように、主に電極３２Ａ３に配置された圧電素子３２の部分が伸縮運動Ａ３を実施することにより、長手方向に伸縮する、いわゆる縦一次振動を励振する。また、電極３２Ａ３の両側では、電極３２Ａ２，３２Ａ４のみに電圧が印加されて伸縮運動Ａ２，Ａ４を実施する。この際、伸縮運動Ａ２，Ａ４に対して、電極３２Ａ１，３２Ａ５に配置された圧電素子３２の部分は伸縮しようとしないため、電極３２Ａ３の両側において圧電素子３２が非対称に伸縮する。このため、振動体３には、幅方向に捻るモーメントが発生する。そしてこのモーメントにより、振動体３の幅方向に揺動する振動が誘発され、図６(Ｂ)に示されるように、縦振動に直交する方向に、圧電素子３２の平面中心に対して点対称に屈曲する、いわゆる屈曲二次振動も励振する。
　これらの縦振動および屈曲振動が同時に現れることにより、振動体３の当接部３１Ａは図６(Ｃ)に示されるように、時計回り（正回転）で回転する略楕円軌道Ｒｃｗを描いて振動することとなる。
【００５０】
　この際、当接部３１Ａは、略楕円軌道Ｒｃｗ上で残金表示カウンタ２（表示部２１，２２，２３，２４）の近傍を通る時には、所定の押圧力で残金表示カウンタ２の外周部分を押圧する。そして、当接部３１Ａと残金表示カウンタ２（表示部２１，２２，２３，２４）との間に生じる摩擦力により、図７(Ａ)に示されるように、残金表示カウンタ２を反時計回りに回転させ、表示を「０」から「１」に変更する。
　また、当接部３１Ａは、略楕円軌道Ｒｃｗ上で残金表示カウンタ２（表示部２１，２２，２３，２４）から離間した位置を通る時には、残金表示カウンタ２から離隔する、または、接触していたとしても押圧力が低下し、残金表示カウンタ２を駆動させることはない。
【００５１】
　図８には振動体３の駆動周波数に対する圧電素子３２のインピーダンスが示されている。この図８に示されるように、圧電素子３２に印加する電圧の周波数に対して、インピーダンスが極小となる点が二点現れる。これらのうち周波数の低い方の一点は、縦振動の振動振幅が最大となる共振点で、この共振点における周波数が、縦振動の共振周波数ｆ１となる。周波数の高い方の一点は、屈曲振動の振動振幅が最大となる共振点で、この共振点における周波数が屈曲振動の共振周波数ｆ３となる。また、共振周波数ｆ１，ｆ３の間には反共振周波数ｆ２が現れる。
　この図８からもわかるように、圧電素子３２を縦振動と屈曲振動との共振周波数の間で駆動すると、縦振動および屈曲振動の両方の振幅を大きく得られ、高効率で駆動できる。
【００５２】
　ここで、本実施形態における具体的な実施例を挙げる。
　圧電素子３２の材料をＰＺＴとし、寸法を短辺１．９８ｍｍ、長辺７ｍｍ、厚み０．１５ｍｍとする。補強板３１の材料はステンレス鋼（ＳＵＳ３０１）で、厚みが０．１ｍｍとなっている。当接部３１Ａは、平面形状が幅０．５ｍｍ、突出長さが０．４５ｍｍの略半円形状で、質量が約０．１６ｍｇである。また、支持部３１Ｂにおいて圧電素子３２から突出する部分は、幅０．４ｍｍで長さが０．５ｍｍである。
　このような振動体３では、当接部３１Ａを表示部２１，２２，２３，２４に当接せず、表示部２１，２２，２３，２４から反力を受けない状態で、縦振動の共振周波数ｆ１が約２７９ｋＨｚ、屈曲振動の共振周波数ｆ３が約２８５ｋＨｚ、反共振周波数ｆ２が約２８３ｋＨｚであった。従って、縦振動の共振周波数ｆ１に対する屈曲振動の共振周波数ｆ３の比は、約１．０１５となる。この振動体３に縦振動の共振周波数ｆ１と屈曲振動の共振周波数ｆ３との間の周波数で、またより望ましくは、反共振周波数ｆ２から屈曲振動の共振周波数ｆ３までの間の周波数で電圧を印加すると、縦振動および屈曲振動がそれぞれ共振点付近で振動することとなり、大きな振動振幅が得られ、当接部３１Ａにおいて良好な略楕円軌道が得られることがわかる。
【００５３】
　一方、制御部４３は、現在表示されている数字が「０」であると認識し、残金表示カウンタ２（表示部２１，２２，２３，２４）に表示させる数字が「９」であると認識すると、駆動回路４４に振動体３を逆回転させる旨の制御信号を出力する。
　駆動回路４４は、この制御信号を入力すると、図７（Ｂ）に示すように、振動体３の電極３２Ａ１，３２Ａ５および電極３２Ａ３のみに所定の周波数の交流電圧を印加する。
　そして、振動体３の圧電素子３２は、交流電圧が印加されると、Ａ１，Ａ３，Ａ５の伸縮運動を実施する。この際、図７（Ａ）に示す伸縮運動Ａ２，Ａ３，Ａ４とは、伸縮運動Ａ３を共通として、振動体３の対角位置の伸縮運動は、異なる位置に移行している。このため、図７（Ａ）にて発生した振動体３の幅方向に捻るモーメントとは逆方向のモーメントが発生する。そして、このモーメントにより、振動体３の幅方向に揺動する屈曲運動が誘発され、振動体３の当接部３１Ａは、反時計回り（逆回転）で回転する略楕円軌道Ｒｃｃｗを描いて運動する。
【００５４】
　この際、当接部３１Ａは、略楕円軌道Ｒｃｃｗ上で残金表示カウンタ２（表示部２１，２２，２３，２４）の近傍を通る時に、所定の押圧力で残金表示カウンタ２の外周部分を押圧して反時計回りに回転させ、表示を「０」から「９」に変更する。
　上述したように制御部４３は、位置検出部にて検出された現在表示位置と、メモリ４２に記憶された表示変更目標値（残金）とを比較する。そして、最適な表示変更を実現するために振動体３の当接部３１Ａの正回転または逆回転のうちのいずれか一方の実施を判断する。
【００５５】
　[第１実施形態の効果]
　上述した実施形態では、以下のような効果がある。
（１）カード１は、振動体３および制御部本体４とを備え、制御部本体４が振動体３を振動させてカード１内部の被駆動体を駆動するので、カード１の多種多様な設計を可能にし、利便性の向上を図れる。すなわち、カード１は、被駆動体としての残金表示カウンタ２を備え、制御部本体４が振動体３を振動させることで残金表示カウンタ２の表示部２１，２２，２３，２４を回転させて残金に関する情報を表示する。このことにより、利用者にカード１の内部情報を可視情報として認識させることができる。
【００５６】
（２）制御部本体４は、電源供給部４５を備えているので、外部のカード処理装置から電力の供給を受けることができ、利用者に電源の消耗を気にさせずにカード１を利用させることができる。
（３）振動体３は、残金表示カウンタ２の表示部２１，２２，２３，２４のそれぞれに対応して振動体３Ａ，３Ｂ，３Ｃ，３Ｄが設けられている。例えば、複数の表示部が歯車等により相互に噛み合い、１つの振動体によりこれら複数の表示部を駆動する構成と比較した場合に、振動体３Ａ，３Ｂ，３Ｃ，３Ｄにより表示部２１，２２，２３，２４をそれぞれ独立して駆動するので、情報の表示速度を向上できる。
（４）振動体３Ａ，３Ｂ，３Ｃ，３Ｄは、表示部２１，２２，２３，２４を独立して駆動させるので、表示部２１，２２，２３，２４を連動して駆動させるための歯車等を不要とし、カード１の薄型化を図れる。
【００５７】
（５）制御部本体４は、振動体３の当接部３１Ａの楕円軌道を正逆回転の双方を実施させるように制御する。すなわち、振動体３を振動させて残金表示カウンタ２の表示部２１，２２，２３，２４を正逆双方の回転を実施させるように制御する。このことにより、変更する情報の表示速度をさらに向上できる。
【００５８】
（６）振動体３の当接部３１Ａは、振動することにより略楕円軌道を描く。このことにより、残金表示カウンタ２の表示部２１，２２，２３，２４の回転方向に対しては摩擦力が大きく、回転方向と逆方向には摩擦力を小さくでき、高効率に表示部２１，２２，２３，２４を駆動できる。また、振動体３の当接部３１Ａの磨耗を低減し、振動体３の長寿命化を図れる。
【００５９】
（７）残金表示カウンタ２の表示部２１，２２，２３，２４には、０〜９の数字が記載され、窓部１１Ａから露出した４つの数字の組み合わせにより、情報が表示される。例えば、カード内部にＬＣＤを具備した構成と比較した場合に、情報の表示を実施するためにカード１内部に電源が不要となり、利便性を向上したカード１として利用することができる。また、電源が不要となることから、カード１の小型化を図れる。さらに、電源の消耗を気にせずとも、常に適切な表示を実施するため、表示形態の視認性を向上でき、利用者に正確な情報を認識させることができる。
（８）カード１は、アンテナ５を備え、非接触により外部のカード処理装置と通信を実施する。このことにより、カード１に外部の装置と電気的に接続するための接続端子を設ける必要がない。すなわち、接続端子がカード１から外部に対して剥き出しの状態になることはなく、接続端子の機械的ダメージ、および、汚れや腐食等による接触不良、またはリーク電流による誤動作等を回避できる。
【００６０】
（９）第２桁表示部２２および第３桁表示部２３は、リング状に形成され、第１桁表示部２１および第４桁表示部２４は、それぞれ第２桁表示部２２および第３桁表示部２３の内側に配置される。このことにより、カード１の省スペース化を図ることができ、カード１の小型化を図れる。さらに、２つの振動体３Ａおよび３Ｄもまた、それぞれ第２桁表示部２２および第３桁表示部２３の内側に配置されるので、カード１のさらなる省スペース化を図ることができ、カード１の小型化を図れる。
（１０）振動体３は、圧電素子３２を備えていることにより、振動体３を薄く形成できる。すなわち、カード１の薄型化に対応させることができる。また、圧電素子３２が補強板３１に固定されているので、圧電素子３２の脆性を補うことができ、振動体３の耐久性を向上させることができる。
【００６１】
（１１）圧電素子３２が適切な寸法に、つまり長辺の長さを１とした時短辺の長さが０．２７４以上で、かつ縦振動の共振周波数に対する屈曲振動の共振周波数の比が１．００より大きく１．０３以下になるように設定されているので、縦振動および屈曲振動を同時に得ることができ、当接部３１Ａが良好な略楕円軌道Ｒｃｗ，Ｒｃｃｗを描いて表示部２１，２２，２３，２４を回転駆動できる。この時、縦振動および屈曲振動の共振点が互いに近接しているので、両振動の振幅が共振点近傍の大きな振幅となり、表示部２１，２２，２３，２４を高効率で駆動できる。
【００６２】
　[第２実施形態]
　次に、本発明の第２実施形態を説明する。
　以下の説明では、前記第１実施形態と同様の構造および同一部材には同一符号を付して、その詳細な説明は省略または簡略化する。
　第１実施形態では、振動体３は、残金表示カウンタ２の表示部２１，２２，２３，２４を駆動する。
　これに対して、第２実施形態では、カード１は、外部のカード処理装置と情報を送受信可能に接続する情報通信部６と、カード処理装置および情報通信部６との接続を規制する接続規制部としてのシャッタ７とを備えている。そして、振動体３は、振動することによりシャッタ７を駆動させ、該シャッタ７による規制状態を変更する。
【００６３】
　図９は、第２実施形態におけるカード１の概略構成の一例を示す図である。
　カード１は、決済機能を有する接触型ＩＣカードである。このカード１は、後述する情報通信部６を介して外部のカード処理装置の接続端子と接触して電気的に接続し、カード１のメモリ４２に記憶された情報の読み取りおよび書き込みが実施される。
　このカード１は、図９（Ａ）に示すように、筐体１１に形成された接続許可部としての窓部１１Ａから後述する情報通信部６が露出し、外部のカード処理装置と接続可能となる。また、カード１は、図９（Ｂ）に示すように、シャッタ７を駆動することにより、窓部１１Ａを閉塞させて外部のカード処理装置と情報通信部６とが直接接触できないようにすることで接続を規制する。通常、カード１は、図９（Ｂ）に示すように、シャッタ７により外部のカード処理装置との接続が規制され、適宜、図９（Ａ）に示すように、シャッタ７の規制状態を変更することで、カード処理装置との接続を可能にする。
【００６４】
　図１０は、カード１の内部構成の一例を示す図である。
　図１１は、カード１の断面を示す図である。具体的には、図１０のXI−XI線における断面図である。
　カード１は、図１０に示すように、第１実施形態で説明した振動体３および制御部本体４の他、情報通信部６と、シャッタ７とを備えている。なお、振動体３は、第１実施形態では４つの振動体３Ａ，３Ｂ，３Ｃ，３Ｄで構成されていたが、本実施形態では被駆動体としてのシャッタ７が単体で構成されているため、振動体３は、１つの振動体で構成されている。また、振動体３は、シャッタ７に当接している。
　情報通信部６は、外部のカード処理装置の接続端子と接触することで電気的に接続し、カード処理装置から出力される信号を入力するとともに、制御部本体４の制御の下、メモリ４２に記憶されたデータをカード処理装置に出力する。すなわち、情報通信部６は、本発明にかかる入出力接続端子に相当する。この情報通信部６は、筐体１１の下面に固定されている。
【００６５】
　シャッタ７は、カード１の長手方向に延びた略矩形状の板材である。このシャッタ７は、図１１に示すように、筐体１１の上面に形成されたレール１１Ｃにより図１１中左右方向に略直線的に移動自在に保持されている。そして、このシャッタ７は、図１０に示すように、振動体３の当接部３１Ａと当接し、振動体３の振動により図１０中左右方向に略直線的に移動する。
【００６６】
　図１２は、カード１における制御構造を模式的に示すブロック図である。
　制御部本体４は、振動体３と電気的に接続し、アンテナ５を介して取得した信号に基づいて振動体３に所定の交流電圧を印加して振動させるとともに、この振動によりシャッタ７を移動させる制御を実施する。この制御部本体４は、図１２に示すように、第１実施形態で説明した、メモリ４２、制御部４３、駆動回路４４、および、電源供給部４５を備え、情報通信部６および振動体３と電気的に接続されている。
　制御部本体４のうち、制御部４３は、アンテナ５を介して取得した信号に基づいて、シャッタ７による規制状態を変更するために、駆動回路４４に所定の制御信号を出力する。また、制御部４３は、情報通信部６と外部のカード処理装置の接続端子が接触して電気的に接続されると、外部のカード処理装置から出力される信号に基づいて、メモリ４２に記憶されたデータの読み出しまたは書き込みを実施する。
　この制御部４３は、メモリ４２に記憶された制御プログラムを読み込むことで、これらの制御を実施する。
【００６７】
　次に、この制御部本体４による振動体３およびシャッタ７の制御動作を説明する。
　図１３は、制御部本体４の制御による振動体３およびシャッタ７の動作を説明する図である。
　先ず、電源供給部４５は、アンテナ５を介して外部のカード処理装置から電力の供給を受ける。さらに、制御部４３は、電源供給部４５から電力の供給を受け、アンテナ５を介して外部のカード処理装置から接続信号を取得する。この接続信号としては、例えば、カード処理装置とカード１との間で情報の入出力を可能にする旨の信号である。なお、この接続信号にカード処理装置を特定する認証情報を含めて構成してもよい。
【００６８】
　制御部４３は、接続信号を取得すると、この接続信号に基づいて駆動回路４４に制御信号を出力する。具体的に、振動体３を振動させるとともにシャッタ７を移動させて窓部１１Ａからカード１内部を露出させる旨の制御信号を出力する。
　なお、接続信号にカード処理装置を特定する認証情報が含んでいる場合には、制御部４３に以下に示す処理を実施させるように構成してもよい。
　すなわち、制御部４３は、取得した接続信号に含まれる認証情報と、予めメモリ４２に記憶したカード処理装置の認証情報とを照合する。そして、制御部４３は、照合した結果、同一の情報であると判断した場合に、駆動回路４４に制御信号を出力する。このような構成では、予め設定したカード処理装置のみにより情報を入出力可能にでき、カードのセキュリティ強化を図れる。
【００６９】
　駆動回路４４は、この制御信号を入力すると、図１３（Ａ）に示すように、振動体３の電極３２Ａ１，３２Ａ５および電極３２Ａ３のみに所定の周波数の交流電圧を印加する。
　そして、振動体３の当接部３１Ａは、交流電圧が印加されると、反時計回りで回転する楕円軌道Ｒｃｃｗを描いて運動する。
　この際、当接部３１Ａは、楕円軌道Ｒｃｃｗ上でシャッタ７の近傍を通る時に、所定の押圧力でシャッタ７の端縁を押圧して、シャッタ７を図１３（Ａ）中右方向に移動させ、情報通信部６をカード１から外部に対して露出させる。
【００７０】
　この後、外部のカード処理装置は、露出した情報通信部６と接触することで電気的に接続し、制御部４３に信号を出力してカード１のメモリ４２に記憶された情報の読み出し、または、メモリ４２への情報の書き込みを実施する。
　この際、制御部４３は、電源供給部４５から情報通信部６に切り替えて、外部のカード処理装置から供給される電力を受け取る。電気的に接続した情報通信部６にてカード処理装置から電力を受け取るため、安定した電力供給を実現でき、情報の入出力を確実に実施できる。
　ここで、情報の読み出しまたは書き込みが終了すると、制御部４３は、外部のカード処理装置から接続を終了する旨の信号を取得する。そして、制御部４３は、この信号に基づいて駆動回路４４に制御信号を出力する。具体的に、振動体３を振動させるとともにシャッタ７を移動させて窓部１１Ａを閉塞させる旨の制御信号を出力する。
【００７１】
　駆動回路４４は、この制御信号を入力すると、図１３（Ｂ）に示すように、振動体３の電極３２Ａ２，３２Ａ４および電極３２Ａ３のみに所定の周波数の交流電圧を印加する。
　そして、振動体３の当接部３１Ａは、交流電圧が印加されると、時計回りで回転する楕円軌道Ｒｃｗを描いて運動する。
　この際、当接部３１Ａは、楕円軌道Ｒｃｗ上でシャッタ７の近傍を通る時に、所定の押圧力でシャッタ７の端縁を押圧して、シャッタ７を図１３（Ｂ）中左方向に移動させ、カード１の窓部１１Ａを閉塞させる。
【００７２】
　[第２実施形態の効果]
　上述した第２実施形態によれば、上記（２）、（１０）、（１１）と同様の効果の他、以下のような効果がある。
（１２）カード１は、振動体３および制御部本体４とを備え、制御部本体４が振動体３を振動させてカード１内部の被駆動体を駆動するので、カード１の多種多様な設計を可能にし、利便性の向上を図れる。すなわち、カード１は、情報通信部６および接続規制部としてのシャッタ７を具備し、制御部本体４が振動体３を振動させることによりシャッタ７による規制状態を変更するので、カード１のセキュリティを強化できる。例えば、このような構成により、カード１を拾得した他人がカード１内部に記憶された情報を容易に読み取りまたは書き込みを実施することを防止できる。また、シャッタ７は、外部のカード処理装置との接続を規制する際に、情報通信部６を覆うので、例えば、外部の磁気、静電気、または、機械的ダメージによりカード１の内部情報が破壊されることを回避できる。
【００７３】
（１３）制御部本体４が振動体３を振動させることによりシャッタ７を移動させて該シャッタ７による規制状態を変更するので、簡単な構成でカード１のセキュリティ強化および内部情報の破壊の回避を実現できる。
（１４）情報通信部６は、入出力接続端子であり、シャッタ７は、この入出力接続端子がカード１から外部に対して露出した状態を回避するように構成されているので、カード１のセキュリティ強化とともに、入出力接続端子の機械的ダメージ、および、汚れや腐食等による接触不良、または、リーク電流による誤動作等の回避を実現できる。
【００７４】
（１５）振動体３の当接部３１Ａは、振動することにより略楕円軌道を描く。このことにより、シャッタ７の移動方向に対しては摩擦力が大きく、移動方向と逆方向には摩擦力を小さくでき、高効率にシャッタ７を駆動できる。また、振動体３の当接部３１Ａの磨耗を低減し、振動体３の長寿命化を図れる。
（１６）制御部本体４は、振動体３の当接部３１Ａの楕円軌道を正逆回転の双方を実施させるように制御する。すなわち、振動体３を振動させてシャッタ７を正逆双方の移動を実施させるように制御する。このことにより、１つの振動体３にてシャッタ７による窓部１１Ａの開閉を実施でき、最小限の部材にて構成することでコスト削減とともにカード１の小型化を図れる。
【００７５】
　[第３実施形態]
　次に、本発明の第３実施形態を説明する。
　以下の説明では、第２実施形態と同様の構造および同一部材には同一符号を付して、その詳細な説明は省略または簡略化する。
　第２実施形態では、制御部本体４は、振動体３を振動させるとともにシャッタ７を略直線的に進退移動させて窓部１１Ａの開閉を実施させる。
　これに対して第３実施形態では、制御部本体４は、振動体３を振動させるとともにシャッタ７を回転移動させて窓部１１Ａの開閉を実施させる。
【００７６】
　図１４は、第３実施形態におけるカード１の内部構成の一例を示す図である。
　シャッタ７は、図１４に示すように、板状部材７Ａと、ロータ７Ｂとを備えている。そして、振動体３の当接部３１Ａは、このシャッタ７のうちのロータ７Ｂと当接する。
　板状部材７Ａは、略扇形状に形成され、その基端部がロータ７Ｂに一体的に接続されている。なお、この板状部材７Ａの先端部分は、筐体１１の上面に移動自在に保持されるような構成を採用してもよく、または、筐体１１による保持がなく、自由端となるような構成を採用してもよい。
　ロータ７Ｂは、略円柱状にカード１の表面と直交する方向（図１４中紙面と直交する方向）に回転軸７Ｂ１を備えている。そして、ロータ７Ｂは、筐体１１の下面に、この回転軸７Ｂ１を中心として回転自在に設置される。
【００７７】
　ここで、制御部本体４は、カード１から外部に対して情報通信部６を露出させる際には、所定の周波数で交流電圧を振動体３に印加して振動体３の当接部３１Ａを反時計回りに回転させる。
　そして、当接部３１Ａと当接するロータ７Ｂは、当接部３１Ａの回転時に押圧され、当接部３１Ａの回転と逆の時計回りに回転する。そしてまた、ロータ７Ｂと一体的に接続された板状部材７Ａもまた、ロータ７Ｂを中心として時計回りに回転し、カード１から外部に対して情報通信部６が露出される。
【００７８】
　また、制御部本体４は、カード１の窓部１１Ａを閉塞する際には、所定の周波数で交流電圧を振動体３に印加して、振動体３の当接部３１Ａを時計回りに回転させる。
　そして、ロータ７Ｂは、当接部３１Ａによる押圧により当接部３１Ａと逆の反時計回りに回転し、同様に、ロータ７Ｂに一体的に接続された板状部材７Ａもまた、ロータ７Ｂを中心として反時計回りに回転する。そして、板状部材７Ａにより窓部１１Ａが外部に対して閉塞される。
【００７９】
　[第３実施形態の効果]
　上述した第３実施形態によれば、前記（２）、（１０）、（１１）〜（１６）と同様の効果の他、以下のような効果がある。
（１７）シャッタ７は、板状部材７Ａおよびロータ７Ｂを備えている。そして、窓部１１Ａの外部に対する開閉は、このシャッタ７の回転により実施される。ロータ７Ｂの回転距離に比して板状部材７Ａの回転距離は大きく、すなわち、振動体３の当接部３１Ａの回転により板状部材７Ａは大きい回転距離を移動する。したがって、窓部１１Ａの開閉速度が向上し、外部のカード処理装置とカード１との接続を迅速に実施でき、カード１の処理の迅速化を図れる。
【００８０】
　[第４実施形態]
　次に、本発明の第４実施形態を説明する。
　以下の説明では、前記第２実施形態および前記第３実施形態と同様の構造および同一部材には同一符号を付して、その詳細な説明は省略または簡略化する。
　第２実施形態および第３実施形態では、制御部本体４は、振動体３を振動させるとともに、シャッタ７を移動させて情報通信部６における接続の規制状態を変更する。
　これに対して第４実施形態では、筐体１１は、カード１の長手方向に沿って２つに分割される。そして、制御部本体４は、振動体３を振動させるとともに、２つに分割されたそれぞれの筐体１１を近接隔離させて情報通信部６における接続の規制状態を変更する。すなわち、筐体１１が本発明にかかる接続規制部に相当する。
【００８１】
　図１５は、第４実施形態におけるカード１の概略構成の一例を示す図である。
　図１５に示すように、カード１の筐体１１は、該カード１の長手方向に沿って２つに分割され、固定筐体１１１と、被駆動体としての移動筐体１１２とを備えている。
　このカード１は、図１５（Ａ）に示すように、固定筐体１１１に対して移動筐体１１２が離隔した状態で、情報通信部６が露出し、外部のカード処理装置の端子と接触して電気的に接続可能となる。また、カード１は、図１５（Ｂ）に示すように、固定筐体１１１と移動筐体１１２とが近接した状態で、外部のカード処理装置と情報通信部６とが直接接触できないようにすることで接続を規制する。通常は、カード１は、図１５（Ｂ）に示すように、筐体１１により外部のカード処理装置との接続が規制され、適宜、図１５（Ａ）に示すように、筐体１１の規制状態を変更することで、カード処理装置との接続を可能にする。
【００８２】
　図１６は、カード１の内部構成の一例を示す図である。
　固定筐体１１１は、長手方向（図１６中右側方向）に幅方向（図１６中上下方向）略中央部が延出して平面略凸字状に形成されている。そして、この固定筐体１１１の延出部分には、上下に並行して延びる第１カードブリッジ部１１１Ａが形成され、この第１カードブリッジ部１１１Ａに挟まれて情報通信部６が設置される。また、固定筐体１１１の延出部分の基端となる部分（図１６中左側の略矩形状部分）の下面には、２つの振動体３Ｕ（図１６中上方に位置），３Ｄ（図１６中下方に位置）が設置されている。さらに、固定筐体１１１の延出部分の基端となる部分には、後述する移動筐体１１２の第２カードブリッジ部１１２Ａと係合する図示しない係合部が形成され、この係合部により移動筐体１１２の移動方向が規定される。
【００８３】
　移動筐体１１２は、長手方向（図１６中左側方向）に幅方向（図１６中上下方向）両端部分が延出して平面略凹字状に形成されている。そして、この移動筐体１１２の延出部分には、並行して延びる第２カードブリッジ部１１２Ａが形成され、固定筐体１１１に形成された図示しない係合部と係合し、移動筐体１１２は、固定筐体１１１に対して移動自在となっている。そして、固定筐体１１１の下面に設置された振動体３Ｕは、上方に位置する第２カードブリッジ部１１２ＡＵの延出する端縁と当接し、振動体３Ｄは、下方に位置する第２カードブリッジ部１１２ＡＤの延出する端縁と当接する。また、この移動筐体１１２の幅方向略中央部分には、固定筐体１１１の第１カードブリッジ部１１１Ａに対応して図示しない係合部が形成され、移動筐体１１２の移動方向を規定する。
【００８４】
　ここで、制御部本体４は、カード１から外部に対して情報通信部６を露出させる際には、以下のように処理する。
　制御部本体４は、所定の周波数で交流電圧を振動体３Ｕ，３Ｄに印加して、振動体３Ｕの当接部３１Ａ（３１ＡＵ）を時計回りに回転させるとともに、振動体３Ｄの当接部３１Ａ（３１ＡＤ）を反時計回りに回転させる。振動体３Ｕおよび振動体３Ｄは、それぞれの当接部３１Ａが離間する方向を向くように配置されている。このため、制御部本体４は、それぞれの振動体３Ｕおよび振動体３Ｄにて被駆動体（移動筐体１１２）を駆動させる際には、振動体３Ｕおよび振動体３Ｄに逆の振動を実施させる。
【００８５】
　そして、当接部３１ＡＵと当接する第２カードブリッジ部１１２ＡＵは、当接部３１ＡＵの回転時に押圧され、固定筐体１１１に対して離間する方向に移動する。また、同時に、当接部３１ＡＤと当接する第２カードブリッジ部１１２ＡＤは、当接部３１ＡＤの回転時に押圧され、固定筐体１１１に対して離間する方向に移動する。この際、第２カードブリッジ部１１２ＡＵ，１１２ＡＤは、固定筐体１１１の図示しない係合部に規定された方向に移動する。すなわち、移動筐体１１２は、固定筐体１１１に対して離間する方向に移動する。
　そして、移動筐体１１２が固定筐体１１１に対して離間する方向に移動することで、固定筐体１１１の延出部分が露出し、すなわち、カード１から外部に対して情報通信部６が露出される。
【００８６】
　また、制御部本体４は、固定筐体１１１と移動筐体１１２とを近接させて、外部のカード処理装置との接続を規制する際には、振動体３に対して、上述した処理と逆の処理を実施する。
　すなわち、制御部本体４は、所定の周波数で交流電圧を振動体３Ｕ，３Ｄに印加して振動体３Ｕの当接部３１ＡＵを反時計回りに回転させ、振動体３Ｄの当接部３１ＡＤを時計回りに回転させる。そして、当接部３１ＡＵと当接する第２カードブリッジ部１１２ＡＵは、当接部３１ＡＵの回転時に押圧され、固定筐体１１１に対して近接する方向に移動する。また、同時に、当接部３１ＡＤと当接する第２カードブリッジ部１１２ＡＤは、当接部３１ＡＤの回転時に押圧され、固定筐体１１１に対して近接する方向に移動する。このため、移動筐体１１２は、固定筐体１１１に近接した状態となり、外部のカード処理装置との接続を規制する。
【００８７】
　[第４実施形態の効果]
　上述した第４実施形態によれば、上記（２）、（１０）、（１１）〜（１５）と同様の効果の他、以下のような効果がある。
（１８）カード１を構成する筐体１１は、固定筐体１１１および移動筐体１１２を備え、固定筐体１１１に対して移動筐体１１２が近接隔離することで、外部のカード処理装置との接続を規制する。すなわち、移動筐体１１２が接続規制部に相当する。このことにより、別途、シャッタ等の接続規制部を設ける必要がなく、部材の省略からカード１の薄型化を図れる。また、シャッタ等の接続規制部の移動に応じて筐体１１を設計する必要がない。したがって、通常の携帯時において、カード１を小型化することができる。
【００８８】
　[第５実施形態]
　次に、本発明の第５実施形態を説明する。
　以下の説明では、前記第２実施形態、前記第３実施形態、および、前記第４実施形態と同様の構造および同一部材には同一符号を付して、その詳細な説明は省略または簡略化する。
　第２実施形態、第３実施形態、および、第４実施形態では、制御部本体４は、振動体３を振動させるとともに、シャッタ７の移動または移動筐体１１２の移動を実施させて情報通信部６における接続の規制状態を変更する。
　これに対して第５実施形態では、制御部本体４は、振動体３を振動させるとともに、情報通信部６を移動させて該情報通信部６における接続の規制状態を変更する。
【００８９】
　図１７は、第５実施形態におけるカード１の概略構成の一例を示す図である。
　図１７に示すように、カード１の筐体１１は、長手方向（図１７中左右方向）に直交して形成される２つの端部のうちの一方の端部に当該カード１内部に貫通する孔１１Ｄが形成されている。そして、このカード１は、図１７（Ａ）に示すように、カード１内部から孔１１Ｄを介してカード１外部へと情報通信部６が露出することで、外部のカード処理装置の接続端子と接触して電気的に接続可能となる。また、カード１は、図１７（Ｂ）に示すように、情報通信部６がカード１内部に挿入された状態で、外部のカード処理装置の接続端子と直接接触できないようにすることで接続を規制する。通常は、カード１は、図１７（Ｂ）に示すように、筐体１１により外部のカード処理装置との接続が規制され、適宜、図１７（Ａ）に示すように、情報通信部６をカード１外部へと露出させることで、カード処理装置との接続を可能にする。すなわち、筐体１１が、本発明にかかる接続規制部に相当する。
【００９０】
　図１８は、カード１の内部構成の一例を示す図である。
　情報通信部６は、図１８に示すように、筐体１１に形成された孔１１Ｄの幅寸法と略同一の幅寸法を有する矩形状の板状部材６Ａと、この板状部材６Ａ上に形成された入出力接続端子６Ｂとを有している。そして、この板状部材６Ａは、カード１の内外に孔１１Ｄを介して進退移動自在に設けられている。また、この板状部材６Ａは、長手方向（図１８中左右方向）の上下の辺縁が筐体１１に設けられた回転係合部１１Ｅおよび振動体３の当接部３１Ａと当接し、進退移動時の方向が規定されている。
　ここで、回転係合部１１Ｅは、筐体１１の面と直交する方向（図１８中紙面と直交する方向）に回転中心を有し、回転自在に形成された回転体である。そして、この回転係合部１１Ｅは、板状部材６Ａの上下辺縁における長手方向の略同一位置に、筐体１１の下面に設置された振動体３と対向して設けられている。
【００９１】
　図１９は、カード１における制御構造を模式的に示すブロック図である。
　制御部本体４は、振動体３と電気的に接続し、アンテナ５を介して取得した信号に基づいて振動体３に所定の交流電圧を印加して振動させるとともに、この振動により情報通信部６を移動させる制御を実施する。この制御部本体４は、図１９に示すように、第２実施形態で説明した、メモリ４２、制御部４３、駆動回路４４、および、電源供給部４５を備え、情報通信部６の入出力接続端子６Ｂおよび振動体３と電気的に接続されている。
　ここで、制御部本体４は、カード１から外部に対して入出力接続端子６Ｂを露出させる際には、以下のように処理する。
　制御部本体４は、所定の周波数で交流電圧を振動体３に印加して振動体３の当接部３１Ａを時計回りに回転させる。
　入出力接続端子６Ｂが形成された板状部材６Ａは、当接部３１Ａの回転時に押圧され、該当接部３１Ａと回転係合部１１Ｅとで規定された方向であるカード１外部へと孔１１Ｄを介して移動する。そして、板状部材６Ａがカード１外部へと移動することで、入出力接続端子６Ｂが露出し、外部のカード処理装置の接続端子と接触して接続可能な状態となる。
【００９２】
　また、制御部本体４は、板状部材６Ａをカード１内部に挿入して、外部のカード処理装置との接続を規制する際には、振動体３に対して、上述した処理と逆の処理を実施する。
　すなわち、制御部本体４は、所定の周波数で交流電圧を振動体３に印加して振動体３の当接部３１Ａを反時計回りに回転させる。そして、当接部３１Ａと当接する板状部材６Ａは、当接部３１Ａの回転時に押圧され、該当接部３１Ａと回転係合部１１Ｅとで規定された方向であるカード１内部へと孔１１Ｄを介して移動する。このため、板状部材６Ａ上に形成された入出力接続端子６Ｂは、カード１内部に挿入され、外部のカード処理装置の接続端子と直接接触できない状態となり、接続を規制する。
【００９３】
　[第５実施形態の効果]
　上述した第５実施形態によれば、上記（２）、（１０）、（１１）、（１２）と同様の効果の他、以下のような効果がある。
（１９）制御部本体４が振動体３を振動させることにより情報通信部６を移動させて接続規制部に相当する筐体１１による規制状態を変更するので、簡単な構成でカード１のセキュリティ強化および内部情報の破壊の回避を実現できる。また、筐体１１が接続規制部に相当するので、別途、シャッタ等の接続規制部を設ける必要がなく、部材の省略からカード１の薄型化を図れる。
【００９４】
（２０）情報通信部６は、入出力接続端子６Ｂを備え、筐体１１は、この入出力接続端子６Ｂが外部に対して露出した状態を回避するように構成されているので、カード１のセキュリティ強化とともに、入出力接続端子６Ｂの機械的ダメージ、および、汚れや腐食等による接触不良、または、リーク電流による誤動作等の回避を実現できる。
（２１）振動体３の当接部３１Ａは、振動することにより楕円軌道を描く。このことにより、情報通信部６の移動方向に対しては摩擦力が大きく、移動方向と逆方向には摩擦力を小さくでき、高効率に情報通信部６を駆動できる。また、振動体３の当接部３１Ａの磨耗を低減し、振動体３の長寿命化を図れる。
【００９５】
（２２）制御部本体４は、振動体３の当接部３１Ａの楕円軌道を正逆回転の双方を実施させるように制御する。すなわち、振動体３を振動させて情報通信部６を正逆双方の移動を実施させるように制御する。このことにより、１つの振動体３にて情報通信部６のカード１内外への移動を実施でき、最小限の部材にて構成することでコスト削減とともにカード１の小型化を図れる。
（２３）制御部本体４は、振動体３を振動させることにより、情報通信部６をカード１の内外に孔１１Ｄを介して移動させる。このことにより、カード１の筐体１１の表面に情報通信部６を外部に対して露出させるための窓部を設ける必要がなく、筐体１１の強度を維持し、カード１の機械的強度を維持できる。
【００９６】
　[第６実施形態]
　次に、本発明の第６実施形態を説明する。
　以下の説明では、前記第５実施形態と同様の構造および同一部材には同一符号を付して、その詳細な説明は省略または簡略化する。
　第５実施形態では、制御部本体４は、振動体３を振動させるとともに、孔１１Ｄを介してカード１の内外に情報通信部６を略直線的に進退移動させる。
　これに対して第６実施形態では、制御部本体４は、振動体３を振動させるとともに、孔１１Ｄを介してカード１の内外に情報通信部６を回転移動させる。
【００９７】
　図２０は、第６実施形態におけるカード１の内部構成の一例を示す図である。
　情報通信部６は、図２０に示すように、板状部材６Ａと、入出力接続端子６Ｂと、ロータ６Ｃとを備えている。そして、振動体３の当接部３１Ａは、この情報通信部６のうちのロータ６Ｃと当接する。
　板状部材６Ａは、略矩形状に形成され、その基端部がロータ６Ｃに一体的に接続されている。また、板状部材６Ａの先端部端縁は、ロータ６Ｃの回転軸６Ｃ１を中心とした略円形状に形成されている。なお、この板状部材６Ａの先端部分は、筐体１１の上面または下面に移動自在に保持されるような構成を採用してもよく、または、筐体１１による保持がなく、自由端となるような構成を採用してもよい。
　入出力接続端子６Ｂは、板状部材６Ａの先端部分に設けられ、その形状は、板状部材６Ａの先端部分の形状と略同一となっている。
　ロータ６Ｃは、略円柱状にカード１の表面と直交する方向（図２０中紙面と直交する方向）に回転軸６Ｃ１を備えている。そして、ロータ６Ｃは、筐体１１の下面に、この回転軸６Ｃ１を中心として回転自在に設置される。
【００９８】
　ここで、制御部本体４は、カード１から外部に対して入出力接続端子６Ｂを露出させる際には、所定の周波数で交流電圧を振動体３に印加して振動体３の当接部３１Ａを時計回りに回転させる。
　そして、当接部３１Ａと当接するロータ６Ｃは、当接部３１Ａの回転時に押圧され、当接部３１Ａの回転と逆の反時計回りに回転する。そしてまた、ロータ６Ｃと一体的に接続された板状部材６Ａもまた、ロータ６Ｃを中心として反時計回りに回転し、板状部材６Ａの先端部に設けられた入出力接続端子６Ｂがカード１から外部に対して露出される。
【００９９】
　また、制御部本体４は、入出力接続端子６Ｂをカード１内部に挿入する際には、所定の周波数で交流電圧を振動体３に印加して、振動体３の当接部３１Ａを反時計回りに回転させる。
　そして、ロータ６Ｃは、当接部３１Ａによる押圧により当接部３１Ａと逆の時計回りに回転し、同様に、ロータ６Ｃに一体的に接続された板状部材６Ａもまた、ロータ６Ｃを中心として時計回りに回転する。そして、板状部材６Ａの先端部に設けられた入出力接続端子６Ｂは、カード１内部に挿入される。
【０１００】
　[第６実施形態の効果]
　上述した第６実施形態によれば、前記（２）、（１０）、（１１）、（１２）、（１９）〜（２３）と同様の効果の他、以下のような効果がある。
（２４）情報通信部６は、板状部材６Ａ、入出力接続端子６Ｂ、および、ロータ６Ｃを備えている。そして、入出力接続端子６Ｂのカード１内外への移動は、情報通信部６の回転により実施される。ロータ６Ｃの回転距離に比して板状部材６Ａの回転距離は大きく、すなわち、振動体３の当接部３１Ａの回転により板状部材６Ａは大きい回転距離を移動する。したがって、入出力接続端子６Ｂのカード１内外への移動速度が向上し、外部のカード処理装置とカード１との接続を迅速に実施でき、カード１の処理の迅速化を図れる。
【０１０１】
　[第７実施形態]
　次に、本発明の第７実施形態を説明する。
　以下の説明では、前記第１実施形態と同様の構造および同一部材には同一符号を付して、その詳細な説明は省略または簡略化する。
　第１実施形態では、振動体３は、残金表示カウンタ２の表示部２１，２２，２３，２４を駆動する。
　これに対して、第７実施形態では、カード１は、外部のカード処理装置の所定部材を清掃する清掃部材８を備えている。そして、振動体３は、振動することにより清掃部材８を撓ませてカード１の寸法を厚み方向に変更して、所定部材を清掃する。
【０１０２】
　図２１は、第７実施形態におけるカード１の概略構成の一例を示す図である。
　カード１は、図２１に示すように、筐体１１の片面に清掃部材８を構成する接触部８Ａが貼着されている。このようなカード１は、外部のカード処理装置の所定部材を清掃するクリーニング用のカードとして利用できる。
　接触部８Ａは、可撓性部材から構成され、外部のカード処理装置の所定部材と接触して、該所定部材の汚れ等を清掃する。例えば、この接触部８Ａは、アルコール等のクリーニング液を浸み込ませた不織布で構成できる。そして、この接触部８Ａは、図２１に示すように、筐体１１の面に形成された窓部１１Ａを介して内部から押されることで、カード１の厚み方向に撓んで外部のカード処理装置の所定部材と接触する。
【０１０３】
　図２２は、カード１の内部構成の一例を示す図である。具体的には、図２１から接触部８Ａおよび筐体１１の上面部分を省略した図である。
　カード１は、図２２に示すように、第１実施形態で説明した振動体３および制御部本体４の他、清掃部材８を備えている。なお、振動体３は、第１実施形態と同様に４つの振動体３Ａ，３Ｂ，３Ｃ，３Ｄで構成されている。また、振動体３は、清掃部材８に当接している。
【０１０４】
　清掃部材８は、上述した接触部８Ａの他に、板状部材８Ｂを備えている。
　この板状部材８Ｂは、略矩形状の板材の四隅が長手方向（図２２中左右方向）に延出した平面略Ｈ字状に形成されている。そして、この板状部材８Ｂは、該板状部材８Ｂの長手方向の略中央部分へと移動自在に構成され、例えば、金属製の板材を可撓性を持たせるように薄く形成されている。
　また、この板状部材８Ｂの四隅における延出部分の内側には、四つの振動体３Ａ，３Ｂ，３Ｃ，３Ｄの当接部３１Ａがそれぞれ板状部材８Ｂに当接するように設けられている。
　さらに、筐体１１には、板状部材８Ｂの四隅における延出部分を挟むように、これら振動体３Ａ，３Ｂ，３Ｃ，３Ｄと対向して回転係合部１１Ｅが形成され、振動体３および回転係合部１１Ｅにて板状部材８Ｂの移動方向を規定する。
【０１０５】
　図２３は、カード１における制御構造を模式的に示すブロック図である。
　制御部本体４は、振動体３と電気的に接続し、アンテナ５を介して取得した信号に基づいて振動体３に所定の交流電圧を印加して振動させるとともに、この振動により清掃部材８を撓ませてカード１の寸法を厚み方向に変更する制御を実施する。この制御部本体４は、図２３に示すように、第１実施形態で説明した、メモリ４２、制御部４３、駆動回路４４、および、電源供給部４５を備えている。
　制御部本体４のうち、制御部４３は、アンテナ５を介して外部のカード処理装置からの信号を取得すると、メモリ４２に記憶された制御プログラムを読み込み、この信号に基づいて駆動回路４４に所定の制御信号を出力する。
　また、メモリ４２は、制御部４３による制御プログラムが記憶される。そして、制御部本体４は、信号に応じた制御プログラムを読み込み、カード処理装置の機種に応じた制御を実施する。すなわち、カード処理装置の機種に応じてカード１の寸法を変更させる。
【０１０６】
　次に、制御部本体による振動体および清掃部材の制御動作を説明する。
　図２４は、制御部本体４による清掃部材８の動作を説明する図である。具体的には、図２２のXXIV−XXIV線における断面図である。
　先ず、利用者は、外部のカード処理装置のカード入出口にカード１を挿入すると、カード１は、カード処理装置内部の搬送ローラにより、所定位置に搬送される。
　そして、カード１の電源供給部４５は、アンテナ５を介して外部のカード処理装置から電力の供給を受ける。さらに、制御部４３は、電源供給部４５から電力の供給を受け、アンテナ５を介して外部のカード処理装置から、清掃を実施する旨の信号を取得する。
【０１０７】
　制御部４３は、信号を取得すると、この信号に基づいて駆動回路４４に制御信号を出力する。具体的に、振動体３を振動させるとともに清掃部材８の板状部材８Ｂを撓ませて清掃部材８をカード１の厚み方向に突出させる旨の制御信号を出力する。
　駆動回路４４は、制御部４３から制御信号を入力すると、所定の周波数で交流電圧を振動体３に印加して、振動体３Ａおよび３Ｄの当接部３１Ａを時計回りに回転させ、振動体３Ｂおよび３Ｃの当接部３１Ａを反時計回りに回転させる。
【０１０８】
　この際、清掃部材８の板状部材８Ｂは、以下のように動作する。
　すなわち、振動体３Ａおよび振動体３Ｂと当接する板状部材８Ｂの延出部分は、当接部３１Ａの回転時に同方向に押圧され、該当接部３１Ａと回転係合部１１Ｅとで規定された方向（図２２中右方向）に移動する。
　また、振動体３Ｃおよび振動体３Ｄと当接する板状部材８Ｂの延出部分は、当接部３１Ａの回転時に上述した方向と逆方向に押圧され、該当接部３１Ａと回転係合部１１Ｅとで規定された方向（図２２中左方向）に移動する。
【０１０９】
　このため、板状部材８Ｂは、長手方向の略中央部分が撓み、図２４に示すように、撓み部分が筐体１１に形成された略矩形状の窓部１１Ａから突出する。そして、この板状部材８Ｂの撓み部分は、筐体１１の表面に貼着された接触部８Ａをカード１内部からカード１の厚み方向に押し出す。この後、押し出された接触部８Ａは、カード内部の情報を読み取るカード処理装置内部の読み取りレンズ等の部材と接触し、この部材に付着した汚れ等を清掃する。
【０１１０】
　カード処理装置内部の所定部材の清掃が終了すると、制御部４３は、アンテナ５を介してカード処理装置から清掃を終了する旨の信号を取得する。
　そして、制御部４３は、この信号に基づいて駆動回路４４に制御信号を出力する。具体的に、振動体３を振動させるとともに清掃部材８の板状部材８Ｂを移動させて清掃部材８の突出を解除する旨の制御信号を出力する。すなわち、駆動回路４４に上述した処理と逆の処理を実施させる。
【０１１１】
　駆動回路４４は、制御部４３から制御信号を入力すると、所定の周波数で交流電圧を振動体３に印加して、振動体３Ａおよび３Ｄの当接部３１Ａを反時計回りに回転させ、振動体３Ｂおよび３Ｃの当接部３１Ａを時計回りに回転させる。
　このため、振動体３Ａおよび振動体３Ｂと当接する板状部材８Ｂの延出部分は、当接部３１Ａの回転時に同方向に押圧され、該当接部３１Ａと回転係合部１１Ｅとで規定された方向（図２２中左方向）に移動する。
　また、振動体３Ｃおよび振動体３Ｄと当接する板状部材８Ｂの延出部分は、当接部３１Ａの回転時に上述した方向と逆方向に押圧され、該当接部３１Ａと回転係合部１１Ｅとで規定された方向（図２２中右方向）に移動する。
　そして、板状部材８Ｂは、長手方向の略中央部分の撓み変形が元の状態に戻り、図２１に示すように、接触部８Ａは略平坦な状態となる。
　この後、外部のカード処理装置内部の搬送ローラにより、カード入出口に搬送され、利用者によりカード１が回収される。
【０１１２】
　[第７実施形態の効果]
　上述した第７実施形態によれば、上記（２）、（１０）、（１１）と同様の効果の他、以下のような効果がある。
（２５）カード１は、清掃部材８を備え、制御部本体４は、振動体３を振動させるとともに清掃部材８を撓ませて、カード１の寸法を厚み方向に変更する。このことにより、清掃部材８の撓ませ量の調整も可能であるため、異なる機種のカード処理装置に利用できる。また、清掃部材８を備えていることにより、清掃部材８とカード処理装置内の所定の部材とを接触させることで、該部材を清掃できる。
【０１１３】
（２６）制御部本体４は、適宜、カード処理装置からの信号を入力することで、振動体３を振動させるとともに清掃部材８を撓ませて、該清掃部材８をカード１の厚み方向に突出させる。したがって、カード処理装置内を搬送されている際には、カード１は薄い状態であるので、カード処理装置の搬送時の負荷を軽減できる。
（２７）清掃部材８は、接触部８Ａを備え、該接触部８Ａは、カード１の片面上に貼着されている。このことにより、カード処理装置の搬送時において、搬送ローラに付着した汚れ等を清掃できる。
【０１１４】
（２８）清掃部材８は、接触部８Ａおよび板状部材８Ｂを備えている。そして、制御部本体４は、振動体３を振動させるとともに板状部材８Ｂを長手方向の略中央部分に寄せるように移動させてカード１の窓部１１Ａから接触部８Ａとともに突出させる。このことにより、簡単な構成で、カード１の寸法を厚み方向に変更させ、カード処理装置の所定部材の清掃を実施することができる。
（２９）振動体３の当接部３１Ａは、振動することにより略楕円軌道を描く。このことにより、板状部材８Ｂの移動方向に対しては摩擦力が大きく、移動方向と逆方向には摩擦力を小さくでき、高効率に板状部材８Ｂの窓部１１Ａからの突没駆動を実施できる。また、振動体３の当接部３１Ａの磨耗を低減し、振動体３の長寿命化を図れる。
【０１１５】
（３０）振動体３は、板状部材８Ｂの四隅における延出部分の内側に設けられる４つの振動体３Ａ，３Ｂ，３Ｃ，３Ｄから構成される。このことにより、板状部材８Ｂの両端部を略中央部分に向けて移動させることが可能となり、カード１の窓部１１Ａから接触部８Ａとともに突出させて所定の部材を清掃することができる。
（３１）制御部本体４は、振動体３Ａ，３Ｂ，３Ｃ，３Ｄのそれぞれの当接部３１Ａの楕円軌道を正逆回転の双方を実施させるように制御する。したがって、板状部材８Ｂの窓部１１Ａからの突没駆動を可能とし、清掃作業を迅速に実施できる。
【０１１６】
　　　　実施形態の変形
　尚、本発明は、前記実施形態に限定されるものではなく、以下に示すような変形をも含むものである。
　前記第１実施形態では、カード１は、符号表示部としての残金表示カウンタ２を備え、この残金表示カウンタ２の表示部２１，２２，２３，２４は、０〜９の数字が記載されていたが、これに限らない。例えば、０〜９の他に、Ａ〜Ｚのアルファベット、その他の符号を記載し、所定の情報を表示するように構成してもよい。
　前記第１実施形態では、表示部２１，２２，２３，２４に０〜９の数字が１つずつ記載されていたが、これに限らず、表示部２１，２２，２３，２４に０〜９の数字を２回以上重複して記載してもよい。
　例えば、表示部２２，２３では、０〜９の数字が所定の間隔を空けて記載されており、この数字間の空白部分毎にそれぞれ０〜９の数字を連続して記載してもよい。すなわち、０、０、１，１・・・という形で同じ数字の組が０〜９の順に連続するように記載してもよく、０〜９の数字の複数の組がそれぞれ始点となる０の位置を異なるように記載してもよい。
　また、上記数字間の空白部分毎に、それぞれ０〜９の数字をランダムに記載してもよい。
　ここで、上記数字間の空白部分毎に、１つのみの数字を記載する構成に限らず、複数の数字を記載してもよい。
【０１１７】
　前記第１実施形態では、第２桁表示部２２および第３桁表示部２３は、下面に凹部２２Ａが設けられ、この凹部２２Ａが筐体１１の下面に形成されたレール１１Ｂと係合して回転可能となっているが、これに限らず、以下のような構成としてもよい。
　図２５は、表示部の回転構造の変形例を示す図である。なお、図２５では、第２桁表示部２２のみの回転構造を示す。第３桁表示部２３も同様の構造を採用できる。
　図２５（Ａ）に示すように、筐体１１の下面には、該下面から上方に立ち上がるとともに第２桁表示部２２の内周部分に沿って、２つの回転案内部１１Ｆが形成されている。そして、この回転案内部１１Ｆは、第２桁表示部２２の内周部分と当接し、第２桁表示部２２の回転を案内する。
【０１１８】
　具体的に、回転案内部１１Ｆは、図２５（Ｂ）に示すように、断面略Ｌ字状に形成され、第２桁表示部２２の内周部分と当接するとともに、第２桁表示部２２の下面を保持するように配置されている。また、回転案内部１１Ｆにおいて、筐体１１下面に平行に形成された部分には、凸部１１Ｆ１が形成され、第２桁表示部２２の下面に当接するようになっている。このような構成では、振動体３（３Ｂ）の押圧力に対応でき、第２桁表示部２２の筐体１１表面における面内方向のガタツキを防止できる。また、第２桁表示部２２の下面は、凸部１１Ｆ１と当接し、第２桁表示部２２は凸部１１Ｆ１上で回転することにより、第２桁表示部２２と回転案内部１１Ｆとの摩擦抵抗を低減し、第２桁表示部２２の回転移動を円滑に実施させることができる。
　また、このような構成において、図２５（Ｂ）に破線で示したように、回転案内部１１Ｆの上方端部に左右方向に延出する鍔部を形成してもよい。このような構成では、第２桁表示部２２の筐体１１表面に直交する方向のガタツキを防止できる。
　さらに、回転案内部１１Ｆを第２桁表示部２２の内周部分全体にかけて１つで構成してもよい。また、回転案内部１１Ｆを２つ以上で構成してもよい。すなわち、表示部の回転を案内するように構成されていればよい。
　さらにまた、回転案内部１１Ｆを第２桁表示部２２の内周部分でなく、外周部分に沿って形成してもよい。この際、振動体３を第２桁表示部２２の内側に配置すれば、筐体１１の省スペース化し、カード１の小型化を図れる。
　前記第１実施形態では、残金表示カウンタ２は、４つの表示部２１，２２，２３，２４を備えて構成されていたが、これに限らず、４つ以上で構成してもよく、４つ以下で構成してもよい。
【０１１９】
　前記第１実施形態では、残金表示カウンタ２の４つの表示部２１，２２，２３，２４は、略リング状または略円盤状に形成されていたが、これに限らない。例えば、略矩形状の板材にて形成してもよく、さらには、ベルト状に形成してもよい。
　前記第１実施形態では、カード１は、アンテナ５を備え、外部のカード処理装置と非接触にて各種情報および電源の供給を受けていたが、これに限らず、アンテナ５を省略し、外部のカード処理装置の接続端子と電気的に接続可能な端子を採用してもよい。
【０１２０】
　前記第１実施形態では、残金表示カウンタ２の４つの表示部２１，２２，２３，２４は、それぞれ独立して駆動するような構成を説明したが、これに限らない。例えば、歯車等にて４つの表示部２１，２２，２３，２４を相互に連動させるように構成してもよい。この構成では、振動体３は、単体で構成できる。
　前記第１実施形態では、振動体３Ｂ，３Ｃは、第２桁表示部２２および第３桁表示部２３の外周にそれぞれ当接するように配置されていたが、これに限らない。例えば、第２桁表示部２２および第３桁表示部２３の内周に当接するように、第２桁表示部２２および第３桁表示部２３の内側に振動体３Ｂ，３Ｃを配置するような構成としてもよい。このような構成では、カード１の省スペース化を図れ、カード１のさらなる小型化を図れる。
【０１２１】
　前記第２実施形態および前記第３実施形態では、制御部本体４は、振動体３を振動させるとともにシャッタ７を移動させて窓部１１Ａの開閉を実施させていたが、これに限らず、以下のような構成としてもよい。
　例えば、情報通信部６を予め筐体１１の外部に突出して露出するように形成する。そして、制御部本体４は、振動体３を振動させるとともにシャッタ７を筐体１１内外に突没移動させて情報通信部６を覆う状態と露出させる状態との間を移動させる。
　また、例えば、筐体１１を耐磁性を有するシールド部材で構成し、筐体１１の一部分、例えば、接続許可部としての窓部１１Ａの領域を耐磁性を有さない部材にて構成する。そして、筐体１１内部において、情報通信部６を接続許可部の位置に対応して配置する。このため、情報通信部６は、外部のカード処理装置と磁気的に接続可能となる。ここで、制御部本体４は、振動体３を振動させるとともにシャッタ７を移動させて情報通信部６を覆う位置および情報通信部６を覆わない位置とに移動させる。この場合、シャッタ７もまた、シールド部材で構成する。そして、シャッタ７が情報通信部６を覆う位置で、カード１は、外部のカード処理装置と磁気的な接続が規制され、また、シャッタ７が情報通信部６を覆わない位置で、カード１は、外部のカード処理装置と磁気的に接続可能となる。このような構成では、情報通信部６およびカード処理装置とが非接触にて接続可能であるので、カード処理装置とカード１との間での情報通信を迅速に実施でき、カード１の利便性を向上できる。また、筐体１１に該筐体１１内部を露出する窓部１１Ａを形成する必要がなく、筐体１１の強度を維持し、カード１の機械的強度を保持できる。
　前記第２実施形態および前記第３実施形態では、振動体３は、１つで構成されていたが、複数の振動体３を設けるような構成としてもよい。
【０１２２】
　前記第４実施形態では、振動体３は、２つの振動体３Ｕ，３Ｄから構成されていたが、これに限らず、さらに振動体を追加した構成でもよく、１つの振動体で構成してもよい。例えば、振動体３Ｕ，３Ｄの他に、移動筐体１１２に振動体を設け、これら振動体を固定筐体１１１の第１カードブリッジ部１１１Ａに当接するように設けるような構成としてもよい。このような構成では、固定筐体１１１に対する移動筐体１１２の近接隔離する移動速度を向上でき、外部のカード処理装置との接続の迅速化を図れる。
　前記第４実施形態では、情報通信部６は、固定筐体１１１に設けられていたが、これに限らず、移動筐体１１２に設けるような構成としてもよい。
　前記第４実施形態では、筐体１１は、固定筐体１１１と移動筐体１１２と長手方向において分割されていたが、これに限らず、その他の分割構造を採用してもよい。例えば、幅方向、および、カード１の対角方向における分割等を採用できる。
【０１２３】
　前記第５実施形態および前記第６実施形態では、情報通信部６は、筐体１１の長手方向に直交する一方の端部から突没移動自在に構成されていたが、これに限らず、筐体１１の長手方向に平行する端部から突没移動自在に構成してもよい。
　また、振動体３は、１つで構成されていたが、これに限らず、複数の振動体で構成してもよい。例えば、第５実施形態において、回転係合部１１Ｅの位置に振動体３と対向するように他の振動体を設けてもよい。
　前記第５実施形態および前記第６実施形態では、情報通信部６は、筐体１１の長手方向に直交する一方の端部から突没移動自在に構成されていたが、これに限らず、以下のような構成としてもよい。
【０１２４】
　例えば、筐体１１の表面に該筐体１１内部を露出させる窓部を形成する。そして、筐体１１内部において、情報通信部６をこの窓部から露出した位置および窓部から露出しない位置に移動させる。
　また、例えば、筐体１１を耐磁性を有するシールド部材で構成し、筐体１１の一部分、例えば、接続許可部としての窓部１１Ａの領域を耐磁性を有さない部材にて構成する。ここで、制御部本体４は、振動体を振動させるとともに情報通信部６を移動させて接続許可部に対応する位置およびシールド部材の位置の間を移動させる。そして、情報通信部６がシールド部材の位置に移動することで、カード１は、外部のカード処理装置と磁気的な接続が規制される。また、情報通信部６が接続許可部に対応する位置に移動することで、カード１は、外部のカード処理装置と磁気的に接続可能となる。このような構成では、情報通信部６およびカード処理装置とが非接触にて接続可能であるので、カード処理装置とカード１との間での情報通信を迅速に実施でき、カード１の利便性を向上できる。また、筐体１１に該筐体１１内部を露出する窓部１１Ａを形成する必要がなく、筐体１１の強度を維持し、カード１の機械的強度を保持できる。
【０１２５】
　前記第２実施形態から前記第６実施形態では、情報通信部６は、外部のカード処理装置の接続端子と接触して電気的に接続する入出力接続端子として説明したが、これに限らず、非接触にて磁気的に接続する入出力接続端子として構成してもよい。また、情報通信部６をこのような入出力接続端子とする構成に限らず、外部のカード処理装置にて情報を読み取りおよび書き込み可能に前記情報を記憶するメモリとする構成としてもよい。このような構成では、内部情報を入出力する入出力接続端子を設ける必要がなく、カードの構成を簡素化できる。また、メモリが接続規制部の規制状態によりカード１から外部に対して剥き出しの状態を回避するように構成すれば、カード１のセキュリティの強化とともに、メモリの機械的ダメージ、および、汚れや腐食当による内部情報の破壊の回避を実現できる。
【０１２６】
　前記第７実施形態では、清掃部材８は、接触部８Ａおよび板状部材８Ｂを備え、接触部８Ａは、筐体１１の面に貼着されていたが、これに限らない。例えば、接触部８Ａを筐体１１の窓部１１Ａが形成された面と板状部材８Ｂとで挟むように筐体１１内部に配置される構成としてもよい。また、接触部８Ａと板状部材８Ｂとを一体的に構成するようにしてもよい。このような構成では、部材の省略からカード１の小型化を図れる。また、板状部材８Ｂの形状は、平面略Ｈ字状に形成されていたが、これに限らない。例えば、平面略矩形状、または、平面略十字状に形成してもよく、その他の形状であってもよい。
【０１２７】
　前記第７実施形態では、板状部材８Ｂの形状は、平面略Ｈ字状に形成され、金属製の部材を可撓性を持たせるように薄く形成されていたが、これに限らず、以下のような構成でもよい。
　例えば、板状部材８Ｂの四隅における延出部分と略中央部分で厚みを変えて構成する。すなわち、略中央部分を薄く形成し、延出部分を略中央部分よりも厚く形成する。このような構成では、延出部分を厚く形成することで所定の強度を有し、振動体３Ａ，３Ｂ，３Ｃ，３Ｄの押圧力に対応できる。
　また、例えば、板状部材８Ｂの四隅における延出部分と略中央部分で材料を変えて構成する。そして、延出部分と略中央部分を接着や溶接を実施して一体化する。例えば、延出部分の材料としては、一般的なステンレス鋼を採用でき、略中央部分の材料としては、弾性を有するばね用ステンレス鋼を採用できる。
【０１２８】
　前記第７実施形態では、筐体１１の一方の面に窓部１１Ａが形成され、この窓部１１Ａから板状部材８Ｂが突没移動する構成を説明したが、これに限らず、以下のような構成としてもよい。
　例えば、筐体１１の両面に窓部を形成し、これら窓部１１Ａからそれぞれ板状部材を突没移動させる。
　また、例えば、清掃部材８と筐体１１とをねじ等の螺合部材にて螺合し、制御部本体４は、振動体３を振動させることで、ねじ等の螺合状態を変更し、カード１の寸法を厚み方向に変更する。
　さらに、以上のような構成において、第７実施形態のカード１は、クリーニング用のカードとしての利用に限らない。例えば、カード処理装置が、機種毎に処理できるカードの厚さが異なる場合等には、カード１のように厚み方向の寸法を変更することで、異なる機種に応じてカード１を利用できる。
　前記各実施形態において、振動体３、被駆動体の配置は、これに限らず、その他の配置を採用してもよい。
【図面の簡単な説明】
【０１２９】
【図１】本発明の第１実施形態に係るカードの概略構成の一例を示す図。
【図２】前記実施形態におけるカードの内部構成の一例を示す図。
【図３】前記実施形態におけるカードの断面を示す図。具体的には、図２のIII−III線における断面図。
【図４】本発明の各実施形態に係る振動体の概略構成を示す図。
【図５】本発明の第１実施形態における制御部本体によるカードの制御構造を模式的に示すブロック図。
【図６】本発明の各実施形態における振動体の動作を示す図。
【図７】前記実施形態における制御部本体による振動体および残金表示カウンタの動作を説明する図。
【図８】本発明の各実施形態における振動体の振動特性を示す図。
【図９】本発明の第２実施形態に係るカードの概略構成の一例を示す図。
【図１０】前記実施形態におけるカードの内部構成の一例を示す図。
【図１１】前記実施形態におけるカードの断面を示す図。具体的には、図１０のXI−XI線における断面図。
【図１２】前記実施形態におけるカードの制御構造を模式的に示すブロック図。
【図１３】前記実施形態における制御部本体による振動体および接続規制部の制御動作を説明する図。
【図１４】本発明の第３実施形態に係るカードの内部構成の一例を示す図。
【図１５】本発明の第４実施形態に係るカードの概略構成の一例を示す図。
【図１６】前記実施形態におけるカードの内部構成の一例を示す図。
【図１７】本発明の第５実施形態に係るカードの概略構成の一例を示す図。
【図１８】前記実施形態におけるカードの内部構成の一例を示す図。
【図１９】前記実施形態における制御部本体によるカードの制御構造を模式的に示すブロック図。
【図２０】本発明の第６実施形態に係るカードの内部構成の一例を示す図。
【図２１】本発明の第７実施形態に係るカードの概略構成の一例を示す図。
【図２２】前記実施形態におけるカードの内部構成の一例を示す図。
【図２３】前記実施形態における制御部本体によるカードの制御構造を模式的に示すブロック図。
【図２４】前記実施形態における制御部本体による清掃部材の動作を説明する図。具体的には、図２２のXXIV−XXIV線における断面図。
【図２５】前記第１実施形態の変形例を示す図。
【符号の説明】
【０１３０】
　１・・・カード、２・・・残金表示カウンタ（符号表示板）、３・・・振動体、４・・・制御部本体（制御部）、６・・・情報通信部、７・・・シャッタ（接続規制部）、８・・・清掃部材、１１・・・筐体、１１Ａ・・・窓部、３１Ａ・・・当接部、１１１・・・固定筐体、１１２・・・移動筐体。
【図１】
2004139069.tif 000003
【図２】
2004139069.tif 000004
【図３】
2004139069.tif 000005
【図４】
2004139069.tif 000006
【図５】
2004139069.tif 000007
【図６】
2004139069.tif 000008
【図７】
2004139069.tif 000009
【図８】
2004139069.tif 000010
【図９】
2004139069.tif 000011
【図１０】
2004139069.tif 000012
【図１１】
2004139069.tif 000013
【図１２】
2004139069.tif 000014
【図１３】
2004139069.tif 000015
【図１４】
2004139069.tif 000016
【図１５】
2004139069.tif 000017
【図１６】
2004139069.tif 000018
【図１７】
2004139069.tif 000019
【図１８】
2004139069.tif 000020
【図１９】
2004139069.tif 000021
【図２０】
2004139069.tif 000022
【図２１】
2004139069.tif 000023
【図２２】
2004139069.tif 000024
【図２３】
2004139069.tif 000025
【図２４】
2004139069.tif 000026
【図２５】
2004139069.tif 000027